(57)【要約】      （修正有）【課題】識別、位置特定及び認証システムと方法を提供する。【解決手段】システム１００は、会場１０４内に配置されブロードバンドネットワークチャネルに接続された１以上のマスターセンサーノード１０２を含む。会場内に備えられた複数のセンサー１０８は、無線ネットワークチャネルを介してマスターセンサーノードと通信する。複数のセンサーとマスターセンサーノードは、無線周波数ネットワークチャネルを介してモバイル機器１１２に通信接続する。マスターセンサーノードは、マスターセンサーノードから予め定義された範囲内にあるモバイル機器を識別し、位置を特定し、無線周波数ネットワークチャネルに接続している第三者に対して、モバイル機器のＩＤと位置を認証させるようにモバイル機器からリクエストを受信する。マスターセンサーノードは、第三者に対してモバイル機器を認証し、第三者は、モバイル機器にネットワーク接続へのアクセスを許可する。【選択図】図１
2019179568.tif 000002
【特許請求の範囲】
【請求項１】
システムであって、
モバイル機器にインストールされたローカル小売サービス契約アプリケーションを含み、
前記モバイル機器はセルラー・ネットワーク・チャンネルに接続されており、
前記ローカル小売サービス契約アプリケーションは、
少なくとも１つのサービス提供者システムに、無線周波数ネットワーク・チャンネルを介して、サービスの検索リクエストを送信し、
前記検索リクエストに応じた前記少なくとも１つのサービス提供者システムから、サービス提供者に関するデータを受信し、
前記サービス提供者システムに、予約の内容を含む予約のためのリクエストを送信し、
前記サービス提供者システムから、前記予約のためのリクエストに対する確認書を受信し、
待ち行列作成システムに、前記無線周波数ネットワーク・チャンネルを介して、待ち行列作成のリクエストを送信し、
前記待ち行列作成システムから、前記待ち行列作成のリクエストに対する確認書を受信し、
前記モバイル機器の物理的位置を特定し、
前記モバイル機器と、前記サービス提供者に関する物理的会場との間の距離を計算し、
前記モバイル機器が前記物理的会場に移動中に、１以上の予め定義された間隔で、到着予測時刻を送信する
ように構成され、
前記待ち行列作成システムは、更に、前記モバイル機器が前記物理的会場に到着した際には、
前記モバイル機器上のローカル無線周波数ネットワーク・チャンネルのアクティベーションを起動するように、前記ローカル小売サービス契約アプリケーションにリクエストを送信し、
前記ローカル無線周波数ネットワーク・チャンネルで前記モバイル機器を検索せよというリクエストを送信する
ように構成され、
前記システムは、識別及び位置特定及び認証システムを含み、
前記識別及び位置特定及び認証システムは、ブロードバンド・ネットワーク・チャンネルに接続されたマスター・センサー・ノードを含み、
前記サービス提供者システムは、前記ブロードバンド・ネットワーク・チャンネルに同時に接続され、
前記識別及び位置特定及び認証システムは、前記物理的会場の複数のセンサーを含み、
前記複数のセンサーは、無線ネットワーク・チャンネルを介して、前記マスター・センサー・ノードと通信し、
前記複数のセンサーと前記マスター・センサー・ノードとは、前記モバイル機器が前記物理的会場に存在する場合に、前記ローカル無線周波数ネットワーク・チャンネルを介して、前記モバイル機器に通信的に接続され、
前記マスター・センサー・ノードは、前記モバイル機器の識別をし、前記複数のセンサーのうち少なくとも１つ又は前記マスター・センサー・ノードから所定範囲内にある前記モバイル機器の相対位置を特定し、
前記マスター・センサー・ノードは、前記モバイル機器または前記マスター・センサー・ノードまたは前記複数のセンサーの絶対位置を認証し、前記少なくとも１つのサービス提供者システムに対して、前記モバイル機器の相対位置を認証し、
前記少なくとも１つのサービス提供者システムは、認証と前記モバイル機器の前記相対位置とを受信し、前記サービス提供者における前記モバイル機器に関する前記予約の内容を回収する
システム。
【請求項２】
前記検索リクエストは、少なくともサービスのカテゴリーを含む請求項１に記載のシステム。
【請求項３】
前記サービスのカテゴリーは、サービスの種類またはアクティビティの種類または会場の種類の１つを含む請求項２に記載のシステム。
【請求項４】
前記検索リクエストは、少なくともサービスの位置を含む請求項１に記載のシステム。
【請求項５】
前記サービスの位置は都市を含む請求項４に記載のシステム。
【請求項６】
前記到着予測時刻は、少なくとも、前記計算した距離と、前記モバイル機器の移動速度とに基づく請求項１に記載のシステム。
【請求項７】
前記ローカル小売サービス契約アプリケーションは、更に、通知ウィジェットを含む請求項１に記載のシステム。
【請求項８】
方法であって、
モバイル機器にインストールされたローカル小売サービス契約アプリケーションを備えることを含み、
前記モバイル機器は、セルラー・ネットワーク・チャンネルに接続しており、
前記ローカル小売サービス契約アプリケーションは、
少なくとも１つのサービス提供者システムに、無線周波数ネットワーク・チャンネルを介して、サービスの検索リクエストを送信し、
前記検索リクエストに応じた前記少なくとも１つのサービス提供者システムから、サービス提供者に関するデータを受信し、
前記サービス提供者システムに、予約の内容を含む予約のためのリクエストを送信し、
前記サービス提供者システムから前記予約のためのリクエストに対する確認書を受信し、
待ち行列作成システムに、前記無線周波数ネットワーク・チャンネルを介して、待ち行列作成のリクエストを送信し、
前記待ち行列作成システムから、前記待ち行列作成のリクエストに対する確認書を受信し、
前記モバイル機器の物理的位置を特定し、
前記モバイル機器と、前記サービス提供者に関する物理的会場との間の距離を計算し、
前記モバイル機器が前記物理的会場に移動中に、１以上の予め定義された間隔で、到着予測時刻を送信する
ように構成され、
前記待ち行列作成システムは、更に、前記モバイル機器が前記物理的会場に到着した際には、
前記モバイル機器上のローカル無線周波数ネットワーク・チャンネルのアクティベーションを起動するように、前記ローカル小売サービス契約アプリケーションにリクエストを送信し、
前記ローカル無線周波数ネットワーク・チャンネルで前記モバイル機器を検索せよというリクエストを送信する
ように構成されており、
前記方法は、前記物理的会場内の１以上のマスター・センサー・ノードを備えることを含み、
前記１以上のマスター・センサー・ノードは、ブロードバンド・ネットワーク・チャンネルに接続されており、
前記方法は、前記物理的会場内の複数のセンサーを備えることを含み、
前記複数のセンサーは、無線ネットワーク・チャンネルを介して、前記１以上のマスター・センサー・ノードと通信し、
前記複数のセンサーと前記１以上のマスター・センサー・ノードとは、無線周波数ネットワーク・チャンネルを介して、前記モバイル機器に通信的に接続され、
前記複数のセンサーと前記マスター・センサー・ノードとは、前記モバイル機器が前記物理的会場に存在する場合に、前記ローカル無線周波数ネットワーク・チャンネルを介して、前記モバイル機器に通信的に接続されており、
前記方法は、
前記１以上のマスター・センサー・ノードにより、前記１以上のマスター・センサー・ノードから、予め定義された距離の範囲内にある前記モバイル機器の識別をし、前記モバイル機器に関する位置を特定することと、
前記１以上のマスター・センサー・ノードにより、前記モバイル機器または前記マスター・センサー・ノードまたは前記複数のセンサーの絶対位置を認証することと、
前記１以上のマスター・センサー・ノードにより、前記少なくとも１つのサービス提供者システムに対して、前記モバイル機器の相対位置を認証することと、
前記１以上のマスター・センサー・ノードにより、認証と前記モバイル機器の前記相対位置とを受信することと、
前記１以上のマスター・センサー・ノードにより、前記サービス提供者における前記モバイル機器に関する前記予約の内容を回収することと、
を含む方法。
【請求項９】
前記検索リクエストは、少なくともサービスのカテゴリーを含む請求項８に記載の方法。
【請求項１０】
前記サービスのカテゴリーは、サービスの種類またはアクティビティの種類または会場の種類の１つを含む請求項９に記載の方法。
【請求項１１】
前記検索リクエストは、少なくともサービスの位置を含む請求項８に記載の方法。
【請求項１２】
前記サービスの位置は都市を含む請求項１１に記載の方法。
【請求項１３】
前記到着予測時刻は、少なくとも、前記計算した距離と、前記モバイル機器の移動速度とに基づく請求項８に記載の方法。
【請求項１４】
前記ローカル小売サービス契約アプリケーションは、更に、通知ウィジェットを含む請求項８に記載の方法。
【請求項１５】
方法であって、
サービス管理システムによって、モバイル機器がマスター・センサー・ノードから所定範囲内にあることを特定することと、
前記サービス管理システムによって、サービス・プロファイルを取得するようにマスター・センサー・ノード管理サーバーにリクエストを送信することと、
前記サービス管理システムによって、前記マスター・センサー・ノード上に前記サービス・プロファイルをロードすることと、
前記サービス管理システムによって、前記モバイル機器を前記マスター・センサー・ノードと自動的にペアリングすることと、
前記サービス管理システムによって、前記モバイル機器上に動的複合型アプリケーションをロードすることと、
認証プロファイルによって、サービス提供者に対して前記モバイル機器を認証することと、
前記サービス管理システムによって、前記サービス提供者に対して前記モバイル機器をチェック・インすることと、
前記サービス管理システムによって、前記サービス提供者における前記モバイル機器に関する予約の内容を回収することと、
前記動的複合型アプリケーションによって、前記モバイル機器に前記予約の内容を表示することと、
を含む方法。
【請求項１６】
更に、前記動的複合型アプリケーションの通知ウィジェットによって、前記予約の内容が利用可能になったという通知を前記モバイル機器に送信することを含む請求項１５に記載の方法。
【請求項１７】
更に、前記通知ウィジェットによって、前記モバイル機器にナビゲーション地図を表示することを含む請求項１６に記載の方法。
【請求項１８】
更に、前記通知ウィジェットによって、前記モバイル機器で支払い請求書を受信して提示することを含む請求項１６に記載の方法。
【請求項１９】
更に、前記モバイル機器が前記マスター・センサー・ノードからの前記所定範囲外に移動した場合、ネットワークから前記モバイル機器を自動的に切断することを含む請求項１６に記載の方法。
【請求項２０】
前記動的複合型アプリケーションは、ＨＴＭＬ５コードを含む請求項１５に記載の方法。
【発明の詳細な説明】
【技術分野】
【０００１】
関連した出願への相互参照
この出願は、全て２０１５年５月２１日に提出された米国特許仮出願シリアル番号６２／１６５，１３４、６２／１６５，１３８、６２／１６５，１４０、６２／１６５，１４２に対する優先権を主張し、これらの全内容が参照によってここに取り入れられる。
【０００２】
技術分野
本発明は、一般に、ユーザー装置とサービス提供者との間の通信と契約を強化するためのシステムと方法に関する。より詳しくは、発明は、デバイスとユーザーとの識別及び位置特定及び認証のためのシステムと方法と、待ちゼロ発行及び検索及び待ち行列作成（キューイング（ｑｕｅｕｉｎｇ））のためのシステムと方法と、検索及び広告の予約購読のためのシステムと方法と、仮想テレポーテーションのためのシステムと方法とを開示する。
【背景技術】
【０００３】
オンラインゲームが人気を得ているが、オンラインゲームの規制はオンラインゲーム・サービス提供者に多数の難問を提示する。たとえば、現在、そのようなゲームを合法化した州の領域内にユーザーがいない限り、ユーザーはオンラインゲームに参加することが許されない。そういうことで、オンラインゲーム提供者は、ユーザーの位置を特定するために、地理的位置技術を使用しなければならない。地理的位置技術は地理フェンシング、つまり、その外ではユーザーがサービスを利用できない場所（たとえば、州または建物または他の資産等）の境界のまわりに見えないフェンスを配置することでオンライン・サービス提供者を助ける。しかし、ユーザーの位置を特定するために様々なサービス提供者が様々なテクノロジーを使用するので、ユーザー体験は様々なサービス提供者の間で異なる可能性がある。
【０００４】
適法なゲーム法域の中の潜在的ユーザーのうち４０パーセントもが、地理的位置特定サービスが有する不具合のために、位置追従を確認することができないか、ゲームの途中でサイトからうっかりはじきだされると考えられている。従来のセルＩＤとＧＰＳとを用いた地理的位置特定サービスでは、ユーザーのＩＤが地理フェンシング境界の５マイル未満にあることを保証する信頼できる方法がない。そのように正確性が乏しくては、ユーザーが適法なゲーム法域の中にいないかもしれないというリスクを受け入れるよりはむしろ、たとえそのユーザーが適法なゲーム法域の中にいたとしても、ユーザーに参加を認めないことを、サービス提供者は一般的に選択する。現在では、最悪の場合のセルラー位置エラー限界を考慮に入れて、標準では州の境界から５マイル以内のプレーヤーを認めないことになっている。既存のゲームネットワークの例は、「ゲーム・コントロールシステム」という名称で、グレゴリー・Ｔ・デヴィットによって２００９年１１月１３日に提出された米国シリアル番号１２／６１８，５２９に記述されている。
【発明の概要】
【発明が解決しようとする課題】
【０００５】
さらに、今まで以上に、現在では、消費者は、関連した内容を提供し、サービス提供者と通信するために、彼らのモバイル機器に頼る。消費者は、リアルタイムで、彼らの個々の状況に基づいて彼らのニーズを予想して、彼らのニーズを満たすことをサービス提供者に期待し始めている。この期待は、サービス提供者に機密個人情報を提供することに対するユーザーの一般的な不本意に対してバランスをとられなければならない。さらに、すべてのフィールドのサービス提供者は、より効率的に、利益を最大にして、彼らのブランドに関連した信用を増すように、ユーザーにより良いユーザー体験を提供し、コスト的に効率よく広告し、ユーザーへサービスを届けることを望んでいる。しかし、関連した消費者とのサービス提供者のアクセスと契約とを改善している一方で、既存のモバイル・テクノロジーは強化された消費者体験を提供するために効果的に導入されていない。
【０００６】
その上、小売業者と他のサービス提供者による広告中のデジタル・サイネージの使用は、世界規模で急速に成長している。さらに、サイネージ・モニターで、モバイル機器とデジタル的に発行されたコンテンツとの間のインタラクションが可能となるように、ローカル無線周波数ビーコン技術が採用されている。しかし、技術は主にまだ、サービス提供者の所またはその近く、または会場に物理的に存在し（例えば、従来の「徒歩移動」）、モニターのポイントをタッチすることで動く、ビーコン・アプリケーションを有するユーザーに対して、提供される。従来のデジタル・サイネージ・モデルの価値提案を拡大し、クラウドとセンサー／アクチュエーター・ノードを介したモバイルユーザーを含む必要がある。
【０００７】
本発明は、上記で確認される課題の１以上を目的とする。
【課題を解決するための手段】
【０００８】
本発明の1つの面では、システムが開示される。システムは、物理的会場内に配置され、ブロードバンド・ネットワーク・チャンネルに接続された１以上のマスター・センサー・ノードを含む。システムは、更に、前記物理的会場内の複数のセンサーを含む。前記複数のセンサーは、無線ネットワーク・チャンネルで、前記１以上のマスター・センサー・ノードと通信する。前記複数のセンサーと前記１以上のマスター・センサー・ノードとは、無線周波数ネットワーク・チャンネルで、モバイル機器に通信的に接続される。前記１以上のマスター・センサー・ノードは、前記モバイル機器を識別し、前記モバイル機器に関する位置を特定するように構成されている。前記モバイル機器は、前記１以上のマスター・センサー・ノードから、予め定義された距離の範囲内にある。前記１以上のマスター・センサー・ノードは、更に、前記無線周波数ネットワーク・チャンネルに接続している第三者に対して、前記モバイル機器のＩＤと前記位置とを認証するように、前記モバイル機器からリクエストを受信するように構成されている。前記１以上のマスター・センサー・ノードは、更に、前記第三者に対して、前記モバイル機器を認証するように構成されている。前記第三者は、前記モバイル機器の認証を受信して、前記モバイル機器に、前記第三者に関するネットワーク接続へのアクセスを提供する。
【０００９】
本発明のもう1つの面では、方法が開示される。物理的会場内に、ブロードバンド・ネットワーク・チャンネルに接続された１以上のマスター・センサー・ノードが備えられる。前記物理的会場内に、複数のセンサーが備えられる。前記複数のセンサーは、無線ネットワーク・チャンネルを介して、前記１以上のマスター・センサー・ノードと通信する。前記複数のセンサーと前記１以上のマスター・センサー・ノードとは、無線周波数ネットワーク・チャンネルを介して、モバイル機器に通信的に接続される。前記１以上のマスター・センサー・ノードは、前記モバイル機器を識別し、前記モバイル機器に関する位置を特定するように構成されている。前記モバイル機器は、前記１以上のマスター・センサー・ノードから、予め定義された距離の範囲内にある。前記１以上のマスター・センサー・ノードは、前記無線周波数ネットワーク・チャンネルに接続している第三者に対して、前記モバイル機器のＩＤと前記位置とを認証するように、前記モバイル機器からリクエストを受信する。前記１以上のマスター・センサー・ノードは、前記第三者に対して、前記モバイル機器を認証する。前記第三者は、前記モバイル機器の認証を受信して、前記モバイル機器に、前記第三者に関するネットワーク接続へのアクセスを提供する。
【００１０】
本発明の更にもう1つの面では、システムが開示される。システムは、物理的会場内に配置された１以上の較正されたマスター・センサー・ノードを含む。前記１以上のマスター・センサー・ノードは、ブロードバンド・ネットワーク・チャンネルに接続されている。システムは、更に、前記物理的会場内の複数のセンサーを含む。前記複数のセンサーは、無線ネットワーク・チャンネルを介して、前記１以上のマスター・センサー・ノードと通信する。前記複数のセンサーと前記１以上のマスター・センサー・ノードとは、無線周波数ネットワーク・チャンネルを介して、モバイル機器に通信的に接続される。前記モバイル機器は、登録認定機関に登録されている。前記１以上のマスター・センサー・ノードは、前記モバイル機器を識別し、前記モバイル機器に関する位置を特定するように構成されている。前記モバイル機器は、前記１以上のマスター・センサー・ノードから、予め定義された距離の範囲内にある。前記１以上のマスター・センサー・ノードは、更に、第三者に対して、前記モバイル機器のＩＤと前記位置とを認証するように、前記モバイル機器からリクエストを受信するように構成されている。前記位置は、緯度及び経度座標を含む。前記第三者は前記無線周波数ネットワーク・チャンネルに接続している。前記１以上のマスター・センサー・ノードは、更に、前記第三者に対して、前記モバイル機器を認証するように構成されている。前記第三者は、前記モバイル機器の認証を受信して、前記モバイル機器に、前記第三者に関するネットワーク接続へのアクセスを提供する。
【００１１】
本発明の1つの面では、システムが開示される。システムは、セルラー・ネットワーク・チャンネルに接続しているモバイル機器にインストールされたローカル小売サービス契約アプリケーションを含む。前記ローカル小売サービス契約アプリケーションは、少なくとも1つのサービス提供者システムに、無線周波数ネットワーク・チャンネルを介して、サービスの検索リクエストを送信する。前記ローカル小売サービス契約アプリケーションは、更に、前記検索リクエストに応じた前記少なくとも1つのサービス提供者システムから、サービス提供者に関するデータを受信する。前記ローカル小売サービス契約アプリケーションは、更に、前記サービス提供者に予約のリクエストを送信する。前記ローカル小売サービス契約アプリケーションは、更に、前記サービス提供者システムから、予約の確認を受信し、待ち行列作成システムに、前記無線周波数ネットワーク・チャンネルを介して、待ち行列作成のリクエストを送信し、前記待ち行列作成システムから、前記待ち行列作成のリクエストの確認を受信する。前記ローカル小売サービス契約アプリケーションは、更に、前記モバイル機器の物理的位置を特定し、前記モバイル機器と、前記サービス提供者に関する物理的会場との間の距離を計算し、前記モバイル機器が前記物理的会場に移動中に、１以上の予め定義された間隔で、到着予測時刻を送信する。前記待ち行列作成システムは、前記モバイル機器が前記物理的会場に到着した際には、前記モバイル機器上のローカル無線周波数ネットワーク・チャンネルのアクティベーションを起動するように、前記ローカル小売サービス契約アプリケーションにリクエストを送信する。前記待ち行列作成システムは、更に、前記ローカル無線周波数ネットワーク・チャンネルで前記モバイル機器を検索するために、リクエストを送信する。システムは、更に、ブロードバンド・ネットワーク・チャンネルに接続されたマスター・センサー・ノードを含む、識別及び位置特定及び認証システムを含み、前記サービス提供者は、前記ブロードバンド・ネットワーク・チャンネルと、前記物理的会場内の複数のセンサーとに、同時に接続されている。前記複数のセンサーは、無線ネットワーク・チャンネルを介して、前記マスター・センサー・ノードと通信する。前記複数のセンサーと前記マスター・センサー・ノードとは、前記モバイル機器が前記物理的会場に存在する場合に、前記ローカル無線周波数ネットワーク・チャンネルを介して、前記モバイル機器に通信的に接続される。前記マスター・センサー・ノードは、前記モバイル機器の識別をし、前記複数のセンサーのうち少なくとも１つ又は前記マスター・センサー・ノードから所定範囲内にある前記モバイル機器の相対位置を特定する。前記マスター・センサー・ノードは、前記モバイル機器または前記マスター・センサー・ノードまたは複数のセンサーの絶対位置を認証し、前記少なくとも１つのサービス提供者システムに対して、前記モバイル機器の相対位置を認証する。前記少なくとも1つのサービス提供者システムは、認証と前記モバイル機器の前記相対位置とを受信し、前記予約を回収する。
【００１２】
本発明のもう1つの面では、方法が開示される。モバイル機器にインストールされたローカル小売サービス契約アプリケーションが備えられており、前記モバイル機器は、セルラー・ネットワーク・チャンネルに接続している。前記ローカル小売サービス契約アプリケーションは、少なくとも1つのサービス提供者システムに、無線周波数ネットワーク・チャンネルを介して、サービスの検索リクエストを送信し、前記検索要求に応じた前記少なくとも1つのサービス提供者システムから、サービス提供者に関するデータを受信し、前記サービス提供者に、予約のリクエストを送信し、前記サービス提供者システムから予約の確認を受信する。前記ローカル小売サービス契約アプリケーションは、更に、待ち行列作成システムに、前記無線周波数ネットワーク・チャンネルを介して、待ち行列作成のリクエストを送信し、前記待ち行列作成システムから待ち行列作成のリクエストの確認を受信し、前記モバイル機器の物理的位置を特定し、前記モバイル機器と、前記サービス提供者に関する物理的会場との間の距離を計算し、前記モバイル機器が前記物理的会場へ移動中に、１以上の予め定義された間隔で、到着予測時刻を送信する。前記待ち行列作成システムは、前記モバイル機器が前記物理的会場に到着した際には、前記モバイル機器上のローカル無線周波数ネットワーク・チャンネルのアクティベーションを起動するように、前記ローカル小売サービス契約アプリケーションにリクエストを送信し、前記ローカル無線周波数ネットワーク・チャンネルで前記モバイル機器を検索するために、リクエストを送信する。１以上のマスター・センサー・ノードが、物理的会場内に備えられ、前記１以上のマスター・センサー・ノードは、ブロードバンド・ネットワーク・チャンネルに接続されている。複数のセンサーが、前記物理的会場内に備えられ、前記複数のセンサーは、無線ネットワーク・チャンネルを介して、前記１以上のマスター・センサー・ノードと通信する。前記複数のセンサーと前記１以上のマスター・センサー・ノードとは、無線周波数ネットワーク・チャンネルを介して、モバイル機器に通信的に接続される。前記複数のセンサーと前記マスター・センサー・ノードとは、前記モバイル機器が前記物理的会場に存在する場合に、前記ローカル無線周波数ネットワーク・チャンネルを介して、前記モバイル機器に通信的に接続される。前記１以上のマスター・センサー・ノードは、前記モバイル機器を識別し、前記モバイル機器に関する位置を特定する。前記モバイル機器は、前記１以上のマスター・センサー・ノードから、予め定義された距離の範囲内にある。前記１以上のマスター・センサー・ノードは、前記モバイル機器または前記マスター・センサー・ノードまたは複数のセンサーの絶対位置を認証する。前記１以上のマスター・センサー・ノードは、少なくとも１つのサービス提供者システムに対して、前記モバイル機器の相対位置を認証する。前記１以上のマスター・センサー・ノードは、認証と前記モバイル機器の前記相対位置とを受信する。前記１以上のマスター・センサー・ノードは、前記予約を回収する。
【００１３】
本発明の更にもう1つの面では、方法が開示される。サービス管理システムは、モバイル機器がマスター・センサー・ノードから所定の範囲内にあることを特定する。前記サービス管理システムは、サービス・プロファイルを取得するために、マスター・センサー・ノード管理サーバーにリクエストを送信し、前記マスター・センサー・ノード上に前記サービス・プロファイルをロードする。前記サービス管理システムは、前記モバイル機器を前記マスター・センサー・ノードと自動的にペアリングする。前記サービス管理システムは、前記モバイル機器上に動的複合型アプリケーションをロードする。認証プロファイルは、サービス提供者に対して前記モバイル機器を認証する。前記サービス管理システムは前記サービス提供者に対して前記モバイル機器をチェック・インし、前記サービス提供者における前記モバイル機器に関する予約を回収する。前記動的複合型アプリケーションは、前記予約を前記モバイル機器に表示する。
【００１４】
本発明の1つの面では、広告システムが開示される。広告システムは、物理的会場に関する少なくとも1つの識別及び位置特定及び認証システムを含む。各々の識別及び位置特定及び認証システムは、ブロードバンド・ネットワーク・チャンネルに接続しているマスター・センサー・ノードと、物理的会場内の複数のセンサーとを含む。前記複数のセンサーは、前記ブロードバンド・ネットワーク・チャンネルを介して前記マスター・センサー・ノードと通信する。広告システムは、更に、前記物理的会場に配備されている少なくとも１つの識別及び位置特定及び認証システムによって提供され、当該識別及び位置特定及び認証システムに関連するクラウド・ベースの広告サービスを含む。前記クラウド・ベースの広告サービスは、前記マスター・センサー・ノードに通信的に接続され、前記物理的会場に関する複数の広告データを格納する。広告システムは、更に、セルラー・ネットワーク・チャンネルに接続したモバイル機器にインストールされている広告アプリケーションを含む。前記広告アプリケーションは、前記クラウド・ベースの広告サービスに、ローカルサービスの検索リクエストを送信し、少なくとも1つの物理的会場に関連し、前記マスター・センサー・ノードから前記クラウド・ベースの広告サービスに送信された広告データを受信して表示する。前記広告データは、少なくとも、モバイル機器の位置と、物理的会場の位置と、少なくとも1つの検索キーワードとに基づいて、前記モバイル機器への提示のために選択される。
【００１５】
本発明のもう1つの面では、方法が開示される。物理的会場に関する少なくとも1つの識別及び位置特定及び認証システムが備えられ、各々の識別及び位置特定及び認証システムは、ブロードバンド・ネットワーク・チャンネルに接続しているマスター・センサー・ノードと、物理的会場内の複数のセンサーとを含む。前記複数のセンサーは、前記ブロードバンド・ネットワーク・チャンネルを介して前記マスター・センサー・ノードと通信する。クラウド・ベースの広告サービスは、前記物理的会場に配備されている少なくとも１つの識別及び位置特定及び認証システムによって提供され、当該識別及び位置特定及び認証システムに関連し、前記クラウド・ベースの広告サービスは、前記物理的会場に関する複数の広告データを格納する。モバイル機器にインストールされ、セルラー・ネットワーク・チャンネルに接続している広告アプリケーションが備えられる。前記広告アプリケーションは、ローカルサービスの検索リクエストを送信し、前記検索リクエストに応じた前記クラウド・ベースの広告サービスから、少なくとも1つの物理的会場に関連した広告データを受信して表示する。前記広告データは、少なくとも、モバイル機器の位置と、物理的会場の位置と、少なくとも1つの検索キーワードとに基づいて、前記モバイル機器への紹介のために選択される。
【００１６】
本発明の更にもう1つの面では、広告システムが開示される。広告システムは、物理的会場に関する少なくとも1つの識別及び位置特定及び認証システムを含み、各々の識別及び位置特定及び認証システムは、ブロードバンド・ネットワーク・チャンネルに接続しているマスター・センサー・ノードと、物理的会場内の複数のセンサーとを含む。前記複数のセンサーは、前記ブロードバンド・ネットワーク・チャンネルを介して前記マスター・センサー・ノードと通信する。クラウド・ベースの広告サービスは、少なくとも１つの前記マスター・センサー・ノードまたは前記複数のセンサーのうち少なくとも１つによって提供され、少なくとも１つの前記マスター・センサー・ノードまたは前記複数のセンサーのうち少なくとも１つと通信的に接続されており、前記物理的会場に関する複数の広告データを格納する。広告アプリケーションは、モバイル機器にインストールされ、セルラー・ネットワーク・チャンネルに接続している。前記広告アプリケーションは、前記クラウド・ベースの広告サービスにローカルサービスの検索リクエストを送信し、前記検索リクエストに応じた前記クラウド・ベースの広告サービスから、少なくとも1つの物理的会場に関連した広告データを受信して表示する。前記広告データは、前記モバイル機器への紹介のために選択される。
【００１７】
本発明の1つの面では、遠隔広告システムが開示される。遠隔広告システムは、物理的会場に関する少なくとも1つの識別及び位置特定及び認証システムを含み、各々の識別及び位置特定及び認証システムは、ブロードバンド・ネットワーク・チャンネルに接続しているマスター・センサー・ノードと、物理的会場内の複数のセンサーとを含み、前記複数のセンサーは、無線ネットワーク・チャンネルを介して前記マスター・センサー・ノードと通信する。前記少なくとも1つの識別及び位置特定及び認証システムによって提供されるクラウド・ベースの広告サービスは、前記物理的会場内に配備される。モバイル機器にインストールされたアプリケーションは、セルラー・ネットワーク・チャンネルに接続している。前記アプリケーションは、前記モバイル機器に関する位置に対応する第１の座標セットを特定し、サービスの、選択カテゴリーを含む第１の検索リクエストを送信し、前記第１の検索リクエストに応じた前記クラウド・ベースの広告サービスから、前記選択カテゴリーにマッチする、物理的会場または関連するサービスのリストを受信して表示する。前記リストは、前記マスター・センサー・ノードに関連する前記物理的会場を含み、前記物理的会場は、テレポーテーション表示器を含み、前記アプリケーションは、テレポーテーション表示器が選択されたという指示を受ける。前記アプリケーションは、更に、前記物理的会場に関する位置に対応する第２の座標セットを特定し、前記第１の座標セットを前記第２の座標セットに置換し、サービスの、前記選択カテゴリーを含む第２の検索リクエストを送信し、少なくとも前記第２の座標セットに基づいて、前記選択カテゴリーにマッチする物理的会場の第２のリストを受信して表示する。
【００１８】
本発明のもう1つの面では、方法が開示される。物理的会場に関する少なくとも1つの識別及び位置特定及び認証システムが備えられ、各々の識別及び位置特定及び認証システムは、ブロードバンド・ネットワーク・チャンネルに接続しているマスター・センサー・ノードと、物理的会場内の複数のセンサーとを含み、前記複数のセンサーは、前記ブロードバンド・ネットワーク・チャンネルを介して前記マスター・センサー・ノードと通信する。前記物理的会場内に配備される前記少なくとも1つの識別及び位置特定及び認証システムによって提供され、当該識別及び位置特定及び認証システムに関連するクラウド・ベースの広告サービスが備えられる。セルラー・ネットワーク・チャンネルに接続しているモバイル機器にインストールされたアプリケーションが備えられる。前記アプリケーションは、前記モバイル機器に関する位置に対応する第１の座標セットを特定し、サービスの、選択カテゴリーを含む第１の検索リクエストを送信し、前記第１の検索リクエストに応じた前記クラウド・ベースの広告サービスから、前記選択カテゴリーにマッチする、物理的会場または関連するサービスのリストを受信して表示する。前記リストは、前記マスター・センサー・ノードに関連した前記物理的会場を含み、前記物理的会場は、テレポーテーション表示器を含み、前記アプリケーションは、テレポーテーション表示器が選択されたという指示を受ける。前記アプリケーションは、前記物理的会場に関する位置に対応する第２の座標セットを特定し、前記第１の座標セットを前記第２の座標セットに置換し、サービスの、前記選択カテゴリーを含む第２の検索リクエストを送信し、少なくとも前記第２の座標セットに基づいて、前記選択カテゴリーにマッチする物理的会場の第２のリストを受信して表示する。
【００１９】
本発明の更にもう1つの面では、遠隔広告システムが開示される。遠隔広告システムは、物理的会場に関する少なくとも1つの識別及び位置特定及び認証システムを含み、各々の識別及び位置特定及び認証システムは、ブロードバンド・ネットワーク・チャンネルに接続しているマスター・センサー・ノードと、物理的会場内の複数のセンサーとを含み、前記複数のセンサーは、無線ネットワーク・チャンネルを介して前記マスター・センサー・ノードと通信する。クラウド・ベースの広告サービスが、前記少なくとも1つの識別及び位置特定及び認証システムによって提供され、前記物理的会場内に配備される。モバイル機器にインストールされたアプリケーションが、セルラー・ネットワーク・チャンネルに接続し、前記モバイル機器に関する位置に対応する第１の座標セットを特定し、サービスに対して、選択カテゴリーを含む第１の検索リクエストを送信し、前記第１の検索リクエストに応じた前記クラウド・ベースの広告サービスから、前記選択カテゴリーにマッチする、物理的会場または関連するサービスのリストを受信して表示する。前記リストは、前記マスター・センサー・ノードに関連する前記物理的会場と、テレポーテーション表示器を含む前記物理的会場とを含み、前記アプリケーションは、前記物理的会場に対する予約をする。前記少なくとも1つの識別及び位置特定及び認証システムは、予約がなされたという指標を受信し、前記モバイル機器を識別し、認証する。前記アプリケーションは、テレポーテーション表示器が選択されたという指示を受けて、前記物理的会場に関する位置に対応する第２の座標セットを特定し、前記第１の座標セットを前記第２の座標セットに置換し、サービスの、前記選択カテゴリーを含む第２の検索リクエストを送信し、少なくとも前記第２の座標セットに基づいて、前記選択カテゴリーにマッチする物理的会場の第２のリストを受信して表示する。
【００２０】
添付図面とあわせて考慮された場合、以下の詳細な説明を参照することによって、本発明の他の利点がすぐに認識されると共に、よりよく理解されるだろう。
【図面の簡単な説明】
【００２１】
【図１】本発明の実施例の１つによる、識別及び位置特定及び認証システムの構成を例示する;
【図２】本発明の実施例の１つによる、典型的なマスター・センサー・ノードの構造を例示する。
【図３】図１のシステムで使用されうる較正方法のフローチャートを例示する。
【図４】図１のシステムで使用されうるモバイル機器の識別及び位置特定及び認証のための方法のフローチャートを例示する。
【図５】本発明の実施例の１つによる、待ちゼロ発行及び検索及び待ち行列作成システムの構成を例示する。
【図６】本発明の実施例の１つによる、遠隔予約及び待ち行列作成方法のフローチャートを例示する。
【図７】図６のステップを例示している典型的なユーザ・インタフェースを表す。
【図８】本発明の実施例の１つによる、典型的なモバイル機器の構成を例示する。
【図９】本発明の実施例の１つによる、典型的な通知装置を例示する。
【図１０】本発明の実施例の１つによる、ローカル会場チェック・イン及び予約の履行及び取引方法のフローチャートを例示する。
【図１１】図１０のステップを例示している典型的なユーザ・インタフェースを表す。
【図１２】本発明の実施例の１つによる、広告システムを例示する。
【図１３】本発明の実施例の１つによる、検索する、及びモバイル機器に取引とオファーを送信する方法のフローチャートを例示する。
【図１４】本発明の実施例の１つによる、遠隔の、予約購読するモバイル機器に、取引とオファーを発行する方法のフローチャートを例示する
【図１５】本発明の実施例の１つによる、ローカルの、予約購読するモバイル機器に、取引とオファーを発行する方法のフローチャートを例示する。
【図１６】本発明の実施例の１つによる、;サービス・プロファイルと発行コンテンツを更新する方法のフローチャートを例示する。
【図１７】本発明の実施例の１つによる、遠隔広告システムを例示する。
【図１８】本発明の実施例の１つによる、能動的テレポーテーション・モードを用いて検索する方法のフローチャートを例示する。
【図１９】本発明の実施例の１つによる、能動的テレポーテーション・モードで動いている広告アプリケーションを表示する典型的なモバイル機器を例示する。
【図２０】本発明の実施例の１つによる、受動的テレポーテーション・モードを用いて検索する方法のフローチャートを例示する。
【図２１】本発明の実施例の１つによる、受動的テレポーテーション・モードで動いている広告アプリケーションを表示する典型的なモバイル機器を例示する。
【図２２】本発明の実施例の１つによる、システムを例示する。
【図２３】本発明の様々な実施例を例示する。
【図２４】本発明の様々な実施例を例示する。
【図２５】本発明の様々な実施例を例示する。
【図２６】本発明の様々な実施例を例示する。
【図２７】本発明の様々な実施例を例示する。
【図２８】本発明の様々な実施例を例示する。
【図２９】本発明の様々な実施例を例示する。
【図３０】本発明の様々な実施例を例示する。
【図３１】本発明の様々な実施例を例示する。
【図３２】本発明の様々な実施例を例示する。
【図３３】本発明の様々な実施例を例示する。
【図３４】本発明の様々な実施例を例示する。
【図３５】本発明の様々な実施例を例示する。
【図３６】本発明の様々な実施例を例示する。
【図３７】本発明の様々な実施例を例示する。
【図３８】本発明の様々な実施例を例示する。
【図３９】本発明の様々な実施例を例示する。
【図４０】本発明の様々な実施例を例示する。
【図４１】本発明の様々な実施例を例示する。
【発明を実施するための形態】
【００２２】
図面を通して、対応する参照符号は、対応するパーツを示す。
【００２３】
本発明の実施例は、識別及び位置特定及び認証装置及びユーザーと、待ちゼロ発行及び検索及び待ち行列作成と、広告の検索及び加入と、仮想テレポーテーションのためのシステムと方法を提供する。当業者は、本発明の以下の記述が、単なる例であって、どんな形であれ限定するものではないと理解するだろう。発明の他の実施例は、そのような当業者に、すぐに想到されるだろう。
【００２４】
ここに記述される発明は、識別及び位置特定及び認証装置及びユーザーのそれぞれにとって、および／または第三者サービス提供者にとって改善されたシステムと方法を提供する。システムは、効果的で安全な識別及び位置特定及び認証サービスを容易にするために、位置に対する感度が良く、不正操作抵抗がある。その上、待ちゼロ発行及び検索及び待ち行列作成システムと方法が開示される。識別及び位置特定及び認証サービスを活用して、ユーザーは、サービス提供者を検索し、予約する又は待ち行列に加わるためにこのシステムを利用しても良い。ここに開示される他のシステムと方法によって、ユーザーはサービス提供者を検索し、サービス提供者に予約購読を申し込むことができる。システムは、サービス提供者によるより効果的な広告を容易にし、サービス提供者が、特定の消費者を、関連したメッセージと取引と提案とでターゲットにすることを可能にする。最後に、仮想テレポーテーションを利用しているシステムと方法が、ここに開示される。当該システムと方法は、ユーザーがサービス提供者からは遠隔地にいる場合でさえ、ユーザーが、サービス提供者の絶対位置に基づいて、強化され、より関連した検索を行うことを可能にする。
【００２５】
本発明によれば、システムは、識別及び位置特定及び認証システムと、待ちゼロ発行システムと、検索及び加入システムと、仮想テレポーテーションシステムとの任意の組み合わせを含んでも良い（図２２参照）。
【００２６】
関連技術
モノのインターネット（Ｉｎｔｅｒｎｅｔ  ｏｆ  Ｔｈｉｎｇｓ（ＩｏＴ））は、スマートシティとスマートリテイルグロースのための現実的なテクノロジーとして確立されてきている。ＩｏＴには社会的に望ましい利益があって、大規模なウィルス採用のための特徴を備えている。インターネットでの連結性が増している世界では、サービスの信用と安全と予測性とが、従来のランドやオンラインサービスの信用と安全と予測性に対抗することを確実とするために、もののＩＤ（身元）と、モノに接続する人のＩＤ（身元）とが、主に重要になってきている。拡張現実（Ａｕｇｍｅｎｔｅｄ  ｒｅａｌｉｔｙ（ＡＲ））は、初期ではあるが、伝統的なブラウザー・ベースの検索とマッピング・サービスからは容易に得られない消費者経験と特定パラメータとを強化することができる、具体的なユーザ・インタフェース機能を利用している有望なテクノロジーである。
【００２７】
ハイパー関連は、ユーザーに、より良い価値と改善されたユーザー体験とを提供するために、リアルタイムで様々な技術的解決手段を集積しようとするテクノロジーの新生領域である。その価値は、コスト削減またはサービスのより効果的な配信またはサービス提供者とのより良い／より多くの関連契約という方法で、生じうる。基本的に、この新技術は、消費者に、彼らが望むものを、彼らが望むときに、彼らがどのような方法で要求しても、与えようとする。
【００２８】
発展型ＩｏＴセンサー／アクチュエータ使用ケースでつくられたスモール特定データセットと統合されるとき、格納されて、既知と未知の両パターンで分析され、情報のために採掘される可能性がある、構造化された、半分構造化された、構造化されていない、データの膨大な量のコレクションであるビッグデータは増加するが、より多くの価値を提供し続ける。ＩｏＴセンサー／アクチュエータにより主に生成され、管理システムとサービスの現在の状態と状況を確定するのに使用される、非常に具体的な属性を含むデータセットであるスモールデータは、ＩｏＴ装置と、サービスと、管理システムとに基づく標準の広範囲の配備で増加するだろう。ＩｏＴセンサー／アクチュエータにより収集されるスモールデータは、リアルタイムであり、位置、温度、湿度、気圧、振動等の詳細を示すことが可能であり、リアルタイムで起こっていることに基づいて、イベントを起こすことができる。それらのイベントは、ビジネスまたはワークプロセスの安全性または生産性を改善するか増加させるために、ビッグデータ・データセットに対して動く機械学習アルゴリズムに由来する行動情報または傾向情報に統合されうる。
【００２９】
ビジネス・プロセス内の個々のステップを分析するために体系的に集められたデータである、小売及びモバイル商業プロセス・インテリジェンスは、ＩｏＴ装置と、それらのサービスと、リアルタイム・スモールデータ・プールとを大規模に採用することによって強化されるだろう。ＩｏＴが生成したプロセス・インテリジェンスの調整と分析とは、スマートシティにより良く奉仕し、モバイル商業を促進するために、新しい仕事と、システムと、サービスを供給するだろう。
【００３０】
ＡＰＩ管理と、ＡＰＩを定義し文書化する、エンドユーザー・サポート資源のＡＰＩ作成を含む、安全でスケーラブルな環境における、発行・販売促進・監視アプリケーション・プログラミング・インタフェース（ａｐｐｌｉｃａｔｉｏｎ  ｐｒｏｇｒａｍｍｉｎｇ  ｉｎｔｅｒｆａｃｅｓ（ＡＰＩｓ））のプロセスとは、ＩｏＴベースのサービスの成長と大規模な採用にとって、主に重要になってきている。スモール・コンテキストと、人口統計と、ＩｏＴによって収集されるユーザー・プロファイル・データセットとは、従来のアプリ作成方法論によっては利用不可能なスケールで、ビッグデータ統合の必要性を刺激している。
【００３１】
ＨＴＭＬ５コードは、一旦書かれれば、あらゆる装置（ＩＯＳ、Ａｎｄｒｏｉｄ、Ｗｉｎｄｏｗｓ  Ｍｏｂｉｌｅなどを含む）上で動くことができる。ＨＴＭＬ５アプリケーション（「アプリ」）は、装置固有の機能（例えばカメラまたは加速度計）を利用して、Ａｐａｃｈｅ*コルドバのような装置ＡＰＩを使用する。これらのアプリは、様々なアプリストアでの配布のために「パッケージ化」もされている。
【００３２】
ブルートゥース（登録商標）受信システムは、ブルートゥース（登録商標）装置トラフィックを求めてエリアをスキャンする搭載システムであり、利用可能なデータを記録して、搭載ＳＤカードに書き込む。それから、解析と操作とジグビー無線システムを介したデータベースへの送信とのために、データは搭載ソフトウェアに利用可能となる。
【００３３】
ジグビー・トランシーバー・システムは、新規にスキャンされたブルートゥース（登録商標）・フレーム・データを求めてＳＤカードを読み込む搭載システムであり、ジグビー・トランシーバー・ペイロードに新規にスキャンされたブルートゥース（登録商標）・フレーム・データを配置して、データベース記憶及び処理のために、サーバー・ヘッドエンドに、ジグビー電波で送信する。
【００３４】
微小電気機械システム（Ｍｉｃｒｏ−ｅｌｅｃｔｒｏ−ｍｅｃｈａｎｉｃｌａｌ  ｓｙｓｔｅｍｓ（ＭＥＭＳ））動き及び不正操作抵抗安全システムとは、装置の動き及び／または不正操作を感知し、ユーザーとネットワークとの間の通常のサービス使用へのすべてのアクセスをロックする搭載システムである。ＭＥＭＳ動き及び不正操作抵抗安全システムは、再較正または承諾が回復するまで、ユーザー／プレーヤーに連絡をとる又はサービスを一時停止するために、オペレーターに警報を送る役割も果たす。
【００３５】
識別及び位置特定及び認証システムと方法
ここに開示される識別及び位置特定及び認証システムと方法は、効果的で安全なサービスの提供を容易にするために、モバイル機器を位置特定し、個人を識別するために使用されても良い。これらのシステムと方法を、オンラインと無線で小売サービスに接続された他の既知の位置ベースのテクノロジー（例えばＭＥＭＳ、ＧＰＳ・ＩＰ・セルラー）と統合することによって、ＩＤ（身元）と物理的な位置の確実性を非常に高い程度で開始でき、より正確な地理フェンス計算（地理フェンス境界のフィート範囲内で）と、より信用されたプレーヤーまたはゲストまたは後援者に対してより強力なセキュリティ機能と、地理的コンプライアンスとを提供しうる。
【００３６】
本発明のシステムと方法は、更なる安全のために、以下の要素、つまり、１以上の装置（例えば、モバイル機器、センサー・ノード）の絶対位置、ログイン証明書／デジタル証明書（例えば、標準的な公開鍵インフラストラクチャー（ユーザー名／パスワード（ｐｕｂｌｉｃ  ｋｅｙ  ｉｎｆｒａｓｔｒｕｃｔｕｒｅ（ＰＫＩ））は、ネットワーク内で管理されていても良い）、ハードウェアＩＤ（例えば、モバイル機器ＩＤ、マスター・センサー・ノードのＩＤ、ＭＡＣアドレス、ＵＵＩＤ）、ユーザーＩＤ／生体認証（例えば、指紋スキャン、カメラによる顔認識、モーションサインなど）のあらゆる組合せを含む、多元的な認証を必要としても良い。地理フェンスサービスの法令遵守を確実とするために絶対位置の要素を必要とする、ゲーム産業のような規制産業の提供者のような第三者のサービス提供者にとっては、多元的な認証は特に重要である。地理的位置に加えて、既存のテクノロジーと共に本発明を使用することによって、サービス提供者はユーザーのＩＤ（身元）と年齢を認証することが可能であり、改善したデジタル権利管理も提供される。その上、地理的位置サービスの回避または地理的位置サービスに対する破壊を防ぐために、本発明には、耐不正操作手段が含まれる。
【００３７】
システムは、デジタル証明書の暗号化のために、オンラインＰＫＩ登録認定機関（Ｒｅｇｉｓｔｒａｔｉｏｎ  Ａｕｔｈｏｒｉｔｙ（ＲＡ））機能とリンクした軽量ディレクトリー・アクセス・プロトコル（Ｌｉｇｈｔｗｅｉｇｈｔ  Ｄｉｒｅｃｔｏｒｙ  Ａｃｃｅｓｓ  Ｐｒｏｔｏｃｏｌ（ＬＤＡＰ））(例えば、マイクロソフト・アクティブ・ディレクトリー）を介し、オープン・スタンダード・ユーザーアカウントを利用しても良い。オープン・スタンダード・ユーザーアカウントは、既存の社会的ネットワーク・メンバー・アカウントから、速い確認とユーザー登録を提供する。
【００３８】
本発明の実施例の１つでは、システムは、無線サービス中断の場合、位置精度を維持するために、モバイル機器に内在するセンサーメカニズム（例えば、ＭＥＭＳ、カメラ、マイクなど）に頼ることに加え、歴史的で現在も有効な地球空間的スキャンデータに基づいて、位置を保存し、統計学的に特定しても良い。自律的に（すなわち、ネットワーク化されず）使われるならば、システムは、位置要素を提供するか、または遠隔的にモバイル機器の絶対位置を特定する目的で、任意の要求しているローカル・ネットワークに接続した装置に、ＩＤと位置と較正ステータスとを知らせることが可能であっても良い。この実施例では、モバイル機器は、自律センサーとクラウド間のブリッジを提供しても良い。
【００３９】
ここで、本発明の実施例の１つによる、識別及び位置特定及び認証システム１００の構成を例示している図１を参照すると、物理的会場１０４に、１以上のマスター・センサー・ノード１０２が配置されても良い。物理的会場１０４は、小売店、カジノ、ホテル（またはホテルの中の客室）、レストラン、劇場など、どのような物理的会場であっても良い。物理的会場１０４は、ユーザーの家または車両の中であっても良い。実施例の１つでは、１以上のマスター・センサー・ノード１０２は、物理的会場１０４の代わりに、人または動物に配されても良い。
【００４０】
１以上のマスター・ノード１０２は、ＩｏＴ無線周波数アクチュエータノードであっても良い。交わりの実施例では、１以上のマスター・ノード１０２は、高性能な装置がセンサー代わりとなることを可能にするシステム・サービス・プロファイルを走らせている、高性能な装置を含んでも良い。この実施例では、高性能な装置は、モバイル機器とマスター・センサー・ノード１０２との間でブリッジ機能を提供する。１以上のマスター・センサー・ノード１０２は、クラウド通信のためにブロードバンド・ネットワーク・チャンネル１０６に接続されていても良く、任意で、無線ＬＡＮまたはブロードバンド・セルラー・コネクションに接続されていても良い。
【００４１】
本発明の実施例の１つによる、典型的なマスター・センサー・ノードの構成を例示している図２を参照すると、１以上のマスター・センサー・ノード１０２の各々は、動き感知のための加速度計２００と、自己較正のための全地球測位システム（ｇｌｏｂａｌ  ｐｏｓｉｔｉｏｎｉｎｇ  ｓｙｓｔｅｍ（ＧＰＳ））と、インターネット・アクセスのために、ノードをルータに接続するイーサネット（登録商標）・ポート２０４と、ＵＳＢポート２０６と、収集データを記憶させるためのＳＤカード２０８と、屋外での使用時の自己発電のためのソーラーパネル２１０と、セキュリティと動き感知とＩＤのためのカメラ２１２と、再充電可能であっても良いバッテリー２１４と、温度センサー２１６と、音指示器またはＬＥＤ指示器であっても良いサービス・ステータス指示器２１８と、感知と認証と通信とローカル無線ネットワーク接続のためのＷｉ−Ｆｉ無線２２０と、感知と認証と通信のためのブルートゥース（登録商標）またはＢＬＥ無線２２２と、感知と認証と通信と、インターネットをブリッジするためのジグビー無線２２４と、感知と認証と通信と位置特定とセンサー・ネットワーク較正サービスのためのウルトラ・ワイド周波数帯（Ｕｌｔｒａ  Ｗｉｄｅ  Ｂａｎｄ（ＵＷＢ））無線２２６とを含んでも良い。
【００４２】
マスター・センサー・ノード１０２は、発行ＡＰＩで、物理的会場またはＳａａＳまたはクラウドシステムに接続されていても良く、または、登録システム、チェック・イン・システム、待ち行列作成システム、ＰＯＳシステム、決済システム、オンラインゲーム・トランザクション・システム、ＰＭＳシステム、ＣＭＳシステム、ＬＭＳシステム、ストリーミング・ビデオ・システムなどのサービスに接続されていても良い。マスター・センサー・ノード１０２に関するサービスは、資産または会社またはマスター・センサー・ノード・サービスへの世界的なアクセスを許可するために、ウェブ・サービスまたはＲＥＳＴ  ＡＰＩを使用する登録サービスに基づいて、モバイル無線、ワイヤレスＬＡＮ、ダイヤルアップ・モデム、ブロードバンド・インターネットのようなネットワーク接続管理サービスを通して、遠隔的に配布されても良い。マスター・センサー・ノード１０２は、ローカル・ネットワークまたはクラウドでのウェブ・サービスまたは他のサービスに、そのサービスを広告するために、発行加入サービスを提供しても良い。マスター・センサー・ノード１０２へ加入した物理的会場またはＳａａＳまたはクラウドシステムまたはサービスは、周期的に発行される情報を受信しても良く、サービスに関連した情報を検索して取得しても良い。
【００４３】
再び図1を参照して、１以上のセンサー１０８は、物理的会場１０４内に置かれても良い。センサー１０８は、無線ネットワーク・チャンネル１１０を介して、１以上のマスター・センサー・ノード１０２と通信しても良い。センサー１０８と１以上のマスター・センサー・ノード１０２とは、ブルートゥース（登録商標）またはＷｉ−Ｆｉネットワーク等の無線周波数ネットワーク・チャンネル１１４を介して、モバイル機器１１２に通信的に接続されている。本発明の実施例の１つでは、センサー１０８のいずれか１つは、ブロードバンド・チャンネル１０６とマスター・センサー・ノード１０２の機能とを引き受けても良い。さらに別の実施例においては、センサー１０８は、例えば、喫茶店のような、より小さな会場では、同じボックス内のマスター・センサー・ノード１０２に配線されている。
【００４４】
システム１００は、１以上のマスター・センサー・ノード１０２とモバイル機器１１２とに、共通のネットワークを使用しても良い。しかし、２つのオウト・オブ・バンド・ネットワーク・チャンネルを使用することで、より良いセキュリティと正確さが提供される。図１に示されるように、１以上のマスター・センサー・ノード１０２は、任意のワイヤレスＬＡＮ接続と共に、クラウド通信のためにブロードバンド・ネットワーク１０６を使用しても良く、モバイル機器１１２は、セルラー無線ネットワーク１１６を使用する。
【００４５】
複数のモバイル機器１１２は、第三者サービス提供者１１８に予め登録されていても良い。各々のモバイル機器１１２は、様々なユーザーによって登録されていても良い。１人のユーザーが、複数の登録されたモバイル機器１１２を有していても良い。たとえば、ゲーム会場の管理されたゲーム・プレーヤーとして、または、電子商取引提供者のオンライン・トランザクション参加者として登録する場合に、ユーザーはモバイル機器１１２を登録しても良い。
【００４６】
モバイル機器１１２は、携帯電話、ＰＤＡ、高性能な腕時計またはブレスレット、ワイヤレス・ヘッドセット、ブルートゥース（登録商標）対応車両、ヘッドアップ表示装置、高性能な眼鏡等、他のどの携帯用電子装置であっても良い。
【００４７】
モバイル機器１１２は、物理的認証トークンとして機能する。１以上のマスター・センサー・ノード１０２または１以上のセンサー１０８は、無線周波数フレームまたはＲＳＳＩ信号（例えば、ブルートゥース（登録商標）、Ｗｉ−Ｆｉ、ジグビーなど）をスキャンしても良い。１以上のマスター・センサー・ノード１０２または１以上のセンサー１０８は、モバイル機器１１２に関する１以上の要素、例えばＭＡＣアドレスまたはＵＵＩＤのような固有ＩＤと絶対位置とを特定しても良い。位置は三辺測量術または三角測量のような位置特定技術を用いて計算されても良く、座標（例えば、緯度と経度またはデカルト座標）によって特定されても良い。１つの実施例では、モバイル機器１１２が１以上のマスター・センサー・ノード１０２から予め定義された距離の範囲内にある場合に、モバイル機器１１２は特定される。もう一つの実施例においては、共同位置特定技術が、モバイル機器１１２の位置精度を改善するために使用されても良い。この場合では、マスター・センサー・ノード１０２または１以上のセンサー１０８は、無線周波数標識ノードと、ローカル無線周波数ネットワーク内で統合される。無線周波数標識信号を感知し、未知の状態のモバイル機器１１２からの位置を計算し、そして、同じ標識信号を感知し、既知の状態のマスター・センサー・ノード１０２からの同じ計算を実行する等の、共同測定を実行することにより、モバイル機器１１２の未知の位置計算に適用して位置の正確性を改善しうる、エラーデータが生成されうる。他の実施例では、１以上のマスター・センサー・ノード１０２または１以上のセンサー１０８は、物理的会場１０４内にいる間の資産と、スタッフと、ゲストと、プレーヤーへのアクセスを、資産と、ＳａａＳと、クラウドシステムと、サービスとに許可するために、ＢＬＥビーコンと、マスター・センサー・ノード１０２を介して発行されたＡＰＩ等のシンプル無線周波数タグをスキャンしても良い。
【００４８】
一旦モバイル機器１１２が特定されたなら、ログイン・セッションが開始されても良い。モバイル機器１１２のユーザーが、サービス・アクセスの同意を認めることが要求されないという点で、ログイン・セッションは自動であっても良い。あるいは、ログイン・セッションは、モバイル機器１１２のユーザーに、サービス・アクセス同意（例えば、通知ウインドウなどの「ＯＫ」ボタンを選ぶこと）を認めることが要求される承認ベースであっても良い。さらに別の実施例においては、ログイン・セッションは、モバイル機器１１２のユーザーに、ログインの前にさらなる認証情報を提供することを要求するという、多元的なものであっても良い。
【００４９】
ログイン・セッションが開始されたあと、モバイル機器１１２は、１以上のマスター・センサー・ノード１０２または１以上のセンサー１０８に、例えばホテル資産管理システム、レストラン予約システム、電子商取引サービス、ストリーミング・メディア・サービス、ウェブ・ベースの規制ゲーム・サービスなどの第三者サービス提供者１１８に対してモバイル機器１１２のＩＤと位置を認証することを要求しても良い。第三者サービス提供者１１８は、無線周波数ネットワーク・チャンネル１１４に接続されていても良い。
【００５０】
１以上のマスター・センサー・ノード１０２または１以上のセンサー１０８は、第三者サービス提供者１１８に対してモバイル機器１１２を認証しても良い。この場合では、１以上のマスター・センサー・ノード１０２または１以上のセンサー１０８は、多元的な認証装置またはトークンとしてモバイル機器１１２を使用して、多元的な認証されたアクセスをサービス１１８に提供する、ＩＤアクセス管理（ｉｄｅｎｔｉｔｙ  ａｃｃｅｓｓ  ｍａｎａｇｅｍｅｎｔ（ＩＡＭ））機能のように動いている。第三者サービス提供者１１８は、モバイル機器１１２の認証を受信しても良く、モバイル機器１１２に、第三者サービス提供者１１８に関するネットワーク接続１２０（例えばイーサネット（登録商標）、Ｗｉ−Ｆｉ、セルラー等）へのアクセスを提供しても良い。
【００５１】
１以上のマスター・センサー・ノード１０２または１以上のセンサー１０８は、以下の方法、（１）他のセンサーからの較正機器位置クローニング（２）ＧＰＳ衛星位置特定（３）屋内の位置特定アルゴリズム（４）物理アドレス・ジオコーディング（５）物理的資産調査技術（７）Ｇｏｏｇｌｅ  Ｅａｒｔｈまたは地図を用いること（６）ウルトラ・ワイド・バンド（Ｕｌｔｒａ  Ｗｉｄｅ  Ｂａｎｄ（ＵＷＢ））などの高精度の位置特定技術を用いること（６）他の手動による方法、のうちの１つまたは１以上の組合せによって較正プロセスを通して測地学的に設置されても良い。
【００５２】
ここで図３を参照すると、図１のシステムと図２のマスター・センサー・ノードとで使用されても良い較正方法３００のフローチャートが示されている。第１のステップ３０２では、マスター・センサー・ノードは、ＧＰＳ衛星の照準線内の屋外で（すなわち、障害物（例えば木）の無いエリアで）捕らえられても良い。第２のステップ３０４では、ＧＰＳによってマスター・センサー・ノードの現在位置を取得するために、ユーザーは、較正ボタンを押すか、または携帯電話で接続するといった行動を行う。あるいは、マスター・センサー・ノードの座標（例えば、緯度及び経度座標）またはマスター・センサー・ノードが配置されている場所の物理アドレスを、ユーザーが手で入力しても良い。第３のステップ３０６では、一旦現在位置が受信されたならば、サービス・プロファイルは、所定時間（例えば、２分）、ネットワーク内の固定位置（例えば、ルータに接続された屋内）で、及び／または、マスター・センサー・ノードのうちの１以上がＧＰＳで連続的に接続されており、少なくとも１つのマスター・センサー・ノードが会場（例えば、車両内、船内、飛行機内、宇宙船内）にボルトで付けられている場所の他のマスター・センサー・ノードに無線接続され、動きが適用されても良い場所に、マスター・センサー・ノードを固定することを許可する。第４のステップ３０８では、ユーザーはマスター・センサー・ノードを固定する。第５のステップ３１０では、マスター・センサー・ノードは較正し、動作準備ができた状態となる。マスター・センサー・ノードが（屋内使用のための）固定位置から動かされないか、または（車両または船または飛行機が走行中であるために）認証時点でＧＰＳフィックスを得ることができない限り、マスター・センサー・ノードは較正ステータスで動作し続ける。
【００５３】
ここで図４を参照すると、図１のシステムで使用されても良いモバイル機器の識別及び位置特定及び認証のための方法４００のフローチャートが示されている。ステップ４０２では、モバイル機器のユーザーは、クライアント・ウィジェットをダウンロードして、システム・クラウド登録サービスを通して、モバイル機器キーを登録する。ステップ４０３では、ユーザーは検索し、予約のためにサービスを選択する。ステップ４０４では、システム・クラウド・サービスは、モバイル機器キーを使用した、センサー・ノード待ち行列作成セッション、または予約、または他の取引プロセスの間、ＩＤの認証を提供する第三者証明認定機関として動作する。ステップ４０６では、ユーザーは、待ち行列作成または予約システムによって、マスター・センサー・ノードで、待ち行列作成セッションまたは予約を開始しても良い。ステップ４０７ａでは、モバイル機器は既知の再使用できるキーまたはピンまたはパスワードまたはパスフレーズを保有していても良く、または、唯一のまたはワンタイム・パスワードまたはアイデンティティ・キーであって、いずれかは暗号化されていても良いものが任意で作成されても良い。ワンタイム・パスワードまたはアイデンティティ・キーは、乱数発生器のような既知の方法を用いて作成されても良いし、または、モバイル機器キーまたはＵＵＩＤまたはＭＡＣアドレスのような既知の識別子と、マスター・センサー・ノードに配信され得る絶対位置またはタイムスタンプのような、動的に作成される未知の識別子との組み合わせのように、複数の方法を使って作成されても良い。ステップ４０７ｂでは、マスター・センサー・ノードまたは複数のセンサーの少なくとも１つは、モバイル機器パスワードを格納しておいて、例えば、予約番号または待ち行列番号等を表すためなど他の目的のために任意に使っても良いし、他のシステムと共有しても良い。ステップ４０７ｃでは、マスター・センサー・ノードは既知の再使用できるキーまたはピンまたはパスワードまたはパスフレーズを保有していても良く、または、唯一のまたはワンタイム・パスワードまたはアイデンティティ・キーであって、いずれかは暗号化されていても良いものが任意で作成されても良い。ワンタイム・パスワードまたはアイデンティティ・キーは、乱数発生器のような既知の方法を用いて作成されても良いし、または、モバイル機器キーまたはＵＵＩＤまたはＭＡＣアドレスのような既知の識別子と、マスター・センサー・ノードまたは複数のセンサーの少なくとも１つに配信され得る絶対位置またはタイムスタンプのような、動的に作成される未知の識別子との組み合わせのように、複数の方法を使って作成されても良い。ステップ４０７ｄでは、モバイル機器は、センサー・パスワードまたはアイデンティティ・キーを格納しておいて、例えば、予約番号または待ち行列番号またはチケットまたはクーポン等を表すためなど他の目的のために任意に使っても良いし、他のシステムと共有しても良い。ステップ４０８では、予約または待ち行列作成システムは、センサーに唯一のパスワードまたはアイデンティティ・キーをリクエストするために、モバイル機器によりターゲットにされたマスター・センサー・ノードと通信するセンサーと通信しても良く、センサーのために任意に1つを作成しても良く、当該１つは、モバイル機器と共有して、待ち行列作成番号または予約番号またはチケットなどを表すのに用いられても良く、モバイル機器パスワードまたはアイデンティティ・キーを共有すると同時に、それをセンサーと同じく、唯一の予約番号または待ち行列作成番号等を表すのに用いても良い。
【００５４】
ユーザーが、丸一日または夕方を、様々な会場でのいくつかの連続する予約で潜在的に計画することができるように、「入れ子になった」予約がなされても良いと想像できる。たとえば、ディナーのために第１の予約がされても良いし、ディナーから映画館へのユーザーの移動車両のための第２の予約がされても良いし、映画館において第３の予約がされても良いなどである。会場が、ユーザーがいつ到着するか特定するのを助けるために、それらの会場は互いに通信しても良い。たとえば、ユーザーがディナーで遅くなっているならば、ピックアップの時刻を遅らせるために、レストランは車両に通知しても良い(例えば、予約を２０分間遅らせる)。ユーザーが、異なる会場のより良い取引を発見するか、予約について彼の考えを変えたならば、システムは、ユーザーが代わりの予約ができるように既存の予約を自動的に取り消しても良い。
【００５５】
ステップ４１０では、一旦ユーザーがマスター・センサー・ノードに関する資産上または資産の範囲内に入ったならば、予約システムは、モバイル機器を認証するのに必要な資源またはソフトウェアまたはサービス・プロファイルを、マスター・センサー・ノードが備えていることを確かめて、マスター・センサー・ノードを認証するために必要な資源またはソフトウェアまたはサービス・プロファイルをモバイル機器が備えていることを確かめる。ステップ４１２では、モバイル機器が公示する間、マスター・センサー・ノードまたは１以上のセンサーは、無線周波数フレームのスキャンを開始する（または逆もまた然り）。ステップ４１４では、センサー・ノードは、モバイル機器を検出する。ステップ４１６では、モバイル機器とセンサーとの無線ペアリングが自動的に起こる。４１８では、モバイル機器の無線認証が自動的に起こる。ステップ４２０では、モバイル機器は、元々マスター・センサー・ノードまたは１以上のセンサーで作成され、それらから受信した、唯一のまたはワンタイム・パスワードまたはアイデンティティ・キーを共有する。マスター・センサー・ノードまたは複数のセンサーのうち少なくとも１つは、任意に、パスワードまたはアイデンティティ・キーを復号して、それがモバイル機器に送信されたマスター・センサー・ノードまたは１以上のセンサーの唯一のパスワードまたはアイデンティティ・キーであることを確認する。それと同時に、モバイル機器は、マスター・センサー・ノードまたは１以上のセンサーから受信したパスワードまたはアイデンティティ・キーをセンサーと共有し、次に任意に復号して、パスワードまたはアイデンティティ・キーがセンサーに属することを確認する。モバイル機器と、マスター・センサー・ノードまたは１以上のセンサーとの間のパスワードの交換は、ブルートゥース（登録商標）またはＷｉ−Ｆｉなどのローカル無線インタフェースを使用して達成されても良い。起因している装置だけが、暗号化されたワンタイム・パスワードを解読するための秘密鍵を有する。
【００５６】
ステップ４２２では、マスター・センサー・ノードまたは１以上のセンサーと、モバイル機器とは、互いに送信されたパスワードを各々復号して確認する。ステップ４２４では、マスター・センサー・ノードとモバイル機器とは、それぞれのネットワークを介して、システム・クラウド・サービスに対し確認情報を各々共有する（すなわち、マスター・センサー・ノードはブロードバンド・ネットワークを介して共有し、モバイル機器はセルラー・ネットワークを介して共有する）。ステップ４２６では、システム・クラウド・サービスは、それらが動作確認されたことを、マスター・センサー・ノードとモバイル機器との両方に知らせる。
【００５７】
ステップ４２８では、予約システムが、マスター・センサー・ノードが動かされなかったか、または不正操作されなかったことを示す、ＩＤと位置較正の確認を、マスター・センサー・ノードまたは１以上のセンサーから受信する。ステップ４３０では、システム・クラウド・サービスは、第三者サービス提供者に対し、ユーザーとモバイル機器の絶対位置とを認証する。
【００５８】
ステップ４３２では、自動ログアウトが起動されても良い。自動ログアウトはいろいろな動作が要因で起こっても良く、たとえば、ユーザー／モバイル機器がセンサーの範囲外に移動した場合、またはモバイル機器またはマスター・センサー・ノードのいずれかの無線周波数の無線がオフにされた場合、または所定のログアウト時間に達した場合を含む。
【００５９】
以下の非限定的な産業への応用が想像されるが、多種多様な産業に及ぶ多くの他の応用が可能であることは当業者にとって自明である。
【００６０】
オンラインゲーム：本発明のシステムと方法とがオンライン管理されたゲームに役立つ場合があると想像される。たとえば、ユーザーは彼らの家から、または、宿泊客室からオンラインゲームをしても良い。マスター・センサー・ノードは、家またはゲスト・ネットワークとリンクされていても良い。マスター・センサー・ノードの適切な較正の後、サービス認証と位置確認の間、ユーザーのモバイル機器がシステムに接続している場合、正確な地理フェンスが、マスター・センサー・ノードの無線周波数ランド接続のローカル無線到達範囲の中で設立されても良い。
【００６１】
オンラインＣＮＰ取引：ＩＤ（身元）の証明が登録認定機関により提供される場合に、本発明のシステムが、カードなし（ｃａｒｄ−ｎｏｔ−ｐｒｅｓｅｎｔ（ＣＮＰ））支払い取引を認証するのに使用されても良い。本発明のシステムでは、より正確な要素（例えば、生物測定データ）が認証のために使用されても良いので、認証はクレジットカードと写真ＩＤカードとを使用した従来の物理的な小売支払いより正確である場合がある。そして、それにより、究極的には交換手数料が安くなるかもしれない。モバイル機器が取引会場内にあると保証することによって、オンライン・マルウェアとＩＤ窃盗リスクとが減らされうる。
【００６２】
輸送での確認：本発明のシステムは、タクシーまたはライドシェアまたは公共輸送ドライバーなどの輸送サービス提供者に対して、ユーザーのモバイル機器を認証するのに使用されても良い。そして、逆もまた然りである。双方向認証と位置確認は、より良い安全対策を、ドライバーと乗客とに提供しうる。
【００６３】
物理的会場へのチェック・イン：本発明は、物理的小売会場入口と対象の関門地帯で、物理的会場（例えば、レストランまたはホテルまたは小売店）のサービス提供者が、客室またはテーブルにユーザーを通すチェックをすることを、またはクーポン又はロイヤルティのポイントを提供することを、または会場への到着と同時にユーザーに利益を与えることを、可能にするように使用されてもよい。さらに、地理場所位置技術によって、物理的会場内のユーザーに、サービス提供者がサービスを提供する、または届けることが可能になる（例えば、飲物を届ける、または、ユーザーのリクエストに応じて、ゲームまたは映画または音楽をストリーミングまたはダウンロードする)。
【００６４】
リモート予約：本発明は、モバイル機器のユーザーが、共有ネットワーク上での装置キーの双方向交換を利用することによって、サービス提供者に対しリモート予約をすることが可能になるように使用されても良い。
【００６５】
待ちゼロ発行及び検索及び待ち行列作成システムと方法
ここに開示される待ちゼロ発行及び検索及び待ち行列作成システムと方法は、センサー及びアクチュエーター・ノード技術（例えば、識別及び位置特定及び認証システムと方法）を、物理的会場システムと統合することで、モバイル機器が、関連する提供を検索し、リモート予約をし、物理的会場に対して、リモート無線待ち行列セッションをセットアップすること（例えば、客室またはテーブルを予約すること）を可能にする。システムと方法により、モバイル機器のユーザーは、検索と、接続と、物理的会場（例えば、ホテルまたはレストランまたはカジノまたは小売）または車両（例えば、タクシーまたはバスまたは個人的なリムジンサービスまたはライドシェアサービス）の予約が可能になる。システムと方法により、モバイル機器のユーザーは、ウェブ・ブラウザー検索と同様に、しかし、検索している位置を中心にして、サービスのカテゴリー（例えば、珈琲またはガスまたはスパまたはボウリング）またはアクティビティ（例えば、フットボールまたはライブバンドまたはパーティーまたはパレード）を検索できる。更に、システムと方法によって、モバイル機器に対してオファーと取引をプッシュするために、予約購読サービスを提供しても良い。さらにまた、システムと方法によれば、列になって立っているような、従来の、列に基づく会場サービスに関して、待ち時間または追加経費をかけることのない、予約と、待ち行列作成と、チェック・インと、チェックアウトと、契約と、取引サービスとをユーザーに提供することもできる。
【００６６】
主要な検索属性として、サービスまたはアクティビティまたは資産または車両の絶対位置（例えば、GPS、IPSまたはINSのような標準的な位置特定方法によって特定された緯度及び経度座標）を含むことによって、システムは、ウェブ・ブラウザー検索とは異なる。したがって、ユーザーは、物理的会場を動的に見ることができ、例えば現在の待ち時間と、混雑具合と、空き座席と、サービス期間などの関連するサービスについての情報が一目で確証されうる。さらに、物理的会場にモバイル機器ユーザーの現在位置をブロードキャストすることによって、ユーザーの予約を保証する仮想待ち行列作成サービスが行われても良く、仮想待ち行列作成サービスは、会場への到着予測時刻（ｅｓｔｉｍａｔｅｄ  ｔｉｍｅ  ｏｆ  ａｒｒｉｖａｌ（ＥＴＡ））フィードバックを提供して、顧客が苛立つ割合を減らし、一旦ユーザーが物理的会場に到着したならば待つことを省く可能性がある。
【００６７】
システムと方法は、業界基準に基づいて築き上げられた、サービス指向アーキテクチャ(（ｓｅｒｖｉｃｅ−ｏｒｉｅｎｔｅｄ  ａｒｃｈｉｔｅｃｔｕｒｅ（ＳＯＡ））と、マイクロサービス・アーキテクチャと、ソフトウェア定義のアーキテクチャ（ｓｏｆｔｗａｒｅ−ｄｅｆｉｎｅｄ  ａｒｃｈｉｔｅｃｔｕｒｅ（ＳＤＡ））と、クラウド・インターオペラビリティとスケーラビリティと信頼性のためのサービスデザイン主要事項としてのモバイル・バックエンド（ｍｏｂｉｌｅ  ｂａｃｋｅｎｄ  ａｓ  ａ  ｓｅｒｖｉｃｅ（ＭＢａａＳ））などの分散クラウド・アーキテクチャを利用する。すべての装置とサービスが基準のＡＰＩ通信を通して統合されることを保証するために、システムと方法は、ＡＰＩ管理フレームワークとゲートウェイも導入する。これは、ビジネス・ロジックの再設計または修正を必要とせずに、データとコードとサービスにリアルタイム・アクセスをすることを動的に許可する。モバイル機器ユーザーは、検索を開始するためと、クラウド・サービスと管理ソフトウェアのゆるい統合を通して、ユーザーとサービス提供者との間で、スケジュールとイベントと通知とを通信するためとに用いられる、ネイティブ・モバイル・ウィジェットをダウンロードする。
【００６８】
ここで図５を参照すると、待ちゼロ発行及び検索及び待ち行列作成システム５００の構成が示さている。ローカル小売サービス契約アプリケーション５０２は、モバイル機器５０４にインストールされる。モバイル機器５０４は、セルラー・ネットワーク・チャンネル５０６に接続している。ローカル小売サービス契約アプリケーション５０２は、少なくとも1つのサービス提供者システム５１０に、サービスに対する検索リクエストを、無線周波数ネットワーク・チャンネル５０８（例えばカジノ行楽地で、ＬＡＮを介して、取引の申し出を検索し、予約を実行し、資産の待ち行列を作成している）またはセルラー・ネットワーク・チャンネル５０６（例えばカジノ行楽地で、セルラーを介して遠隔的に、取引の申し出を検索し、予約を実行し、待ち行列を作成している）を介して送信しても良い。ローカル小売サービス契約アプリケーション５０２は、検索リクエストに応じて、少なくとも1つのサービス提供者システム５１０から、サービス提供者に関するデータを受信しても良い。ローカル小売サービス契約アプリケーション５０２は、サービス提供者に対し予約のリクエストを送信しても良く、サービス提供者システム５１０から予約の確認を受信しても良い。
【００６９】
ローカル小売サービス契約アプリケーション５０２は、無線周波数ネットワーク・チャンネル５０８またはセルラー・ネットワーク・チャンネル５０６を介して、待ち行列作成システム５１２に対して待ち行列作成リクエストを送信しても良く、待ち行列作成システム５１２から待ち行列作成リクエストの確認を受信しても良い。
【００７０】
ローカル小売サービス契約アプリケーション５０２は、モバイル機器５０４の物理的な位置を特定し、モバイル機器５０４とサービス提供者に関する物理的会場５１４との間の距離を計算し、モバイル機器５０４が物理的会場５１４へ移動中に、１以上の予め定義された距離または期間で、推定到着時刻を送信しても良い。ローカル小売サービス契約アプリケーション５０２は、１以上の検索とサービス発見ビューを含み、モバイル機器５０４のユーザーによるタッチ及び／または動きによって、切り替え可能であっても良い。
【００７１】
モバイル機器５０４が物理的会場５１４に到着したとき、待ち行列システム５１２は、モバイル機器５０４上でローカル無線周波数ネットワーク・チャンネル５１６またはローカル無線周波数ネットワーク・チャンネル５２４を起動させるために、ローカル小売サービス約束アプリケーション５０２にリクエストを送信しても良い。待ち行列作成システム５１２は、ローカル無線周波数ネットワーク・チャンネル５１６を介して、またはローカル無線周波数ネットワーク・チャンネル５２４を介して、モバイル機器５０４を探索するために、リクエストを送信しても良い。マスター・センサー・ノード５１８は、ブロードバンド・ネットワーク・チャンネル５２０に接続していても良く、サービス提供者はブロードバンド・ネットワーク・チャンネル５２０に同時に接続している。複数のセンサー５２２は、物理的会場５１４内にあっても良い。複数のセンサー５２２は、ローカル無線周波数ネットワーク・チャンネル５１６のような無線ネットワーク・チャンネルを介して、マスター・センサー・ノード５１８と通信しても良く、複数のセンサー５２２とマスター・センサー・ノード５１８とは、モバイル機器５０４が物理的会場５１４に存在するとき、ローカル無線周波数ネットワーク・チャンネル５１６を介して、モバイル機器５０４に通信的に接続されていても良い。あるいは、モバイル機器５０４が物理的会場５１４に存在するとき、複数のセンサー５２２は、ローカル無線周波数ネットワーク・チャンネル５２４を介して、モバイル５０４に通信的に接続されていても良い。複数のセンサーは、ローカル無線周波数ネットワーク・チャンネル５１６などの無線ネットワーク・チャンネルを介して、マスター・センサー・ノード５１８と通信しても良い。この場合では、複数のセンサー５２２は、モバイル機器５０４とマスター・センサー・ノード５１８との間の通信ゲートウェイまたはブリッジを提供しても良い。
【００７２】
マスター・センサー・ノード５１８、または複数のセンサー５２２のうちの少なくとも１つは、複数のセンサー５２２の少なくとも１つまたはマスター・センサー・ノード５１８の所定範囲内で、モバイル機器５０４とモバイル機器５０４の相対的な位置とを特定し、少なくとも1つのサービス提供システム５１０に対して、モバイル機器５０４のＩＤと相対的な位置を認証する。少なくとも１つのサービス提供者システム５１０は、認証とモバイル機器５０４の相対的な位置を受信して、予約を回収する。
【００７３】
ここで図６ー７を参照すると、リモート予約及び待ち行列作成方法６００のフローチャートが示されており、図７は図６のステップを例示する典型的なユーザ・インタフェースを表す。
【００７４】
ステップ６０２では、モバイル機器のユーザーは、ローカル小売サービス契約アプリケーションをモバイル機器にインストールしても良い。ステップ６０４では、ユーザーは、カテゴリー及び／または位置（インターフェース７００）によって、サービスまたは会場の検索を開始するために、ローカル小売サービス契約アプリケーションを使用しても良い。たとえば、ユーザーは、検索パラメータとして、関心のある望ましい都市またはユーザーの現在位置からの距離を、任意に設定しても良い。会場カテゴリーは、たとえば、ホテルと、カジノと、レストランと、バーと、食料品店と、ガソリンスタンドなどを含んでも良い。サービス・カテゴリーは、たとえば、買い物と、ゲームと、ボウリングなどを含んでも良い。さらなる検索パラメータと、フィルタと、許可と、ユーザー選択とは、ローカル小売サービス契約アプリケーション（インターフェース７０２）を介して、ユーザーによって設定され、修正されても良い。
【００７５】
ステップ６０６では、ローカル小売サービス契約アプリケーションは、ユーザーの検索に基づいて、ユーザーに見せるために、モバイル機器に、サービス及び／または会場のリストを返しても良い。本発明の実施例の１つでは、会場またはサービス提供者への／からの位置と方向の眺望を得て、リスト（インターフェース７０４）の項目のコストとタイミングと妥当性をよりよく決定するために、ユーザーは拡張現実（ａｕｇｍｅｎｔｅｄ  ｒｅａｌｉｔｙ（ＡＲ））カメラビューを通して、リストを見ても良い。あるいは、リストは、リスト・ビュー（インターフェース７００）または地図ビュー（インターフェース７０８）で提示されても良い。
【００７６】
ステップ６０８では、ユーザーは、取引またはオファーまたは利用可能なクーポンなどの項目、または特定の会場で提供されるサービスについての詳しい情報を見るために、リストから項目を選択しても良い（インターフェース７１０）。
【００７７】
本発明の代わりの実施例では、ステップ６１０で、検索リクエストの代わりに、ユーザーは、ユーザーの連絡先を提供することによって、選択された会場に予約購読を申し込んでも良い。ステップ６１２で、定期的に（例えば所定の間隔で）、または、取引またはオファーまたはサービスが選択された会場で利用可能になったときに、それらが、ローカル小売サービス契約アプリケーションによって自動的に、予約購読したユーザーにプッシュされても良い。ステップ６１４では、ユーザーは、モバイル機器上でオファーに関する詳しい情報を見るために、オファーを選択しても良い。
【００７８】
ユーザーは、検索を実行した(「引かれた」オファー）か、または予約購読した（「押された」オファー）)かどうかにかかわらず、ユーザーは、ステップ６１６で、会場またはサービス提供者に対して予約をするために、オファーを選択して、仮想行列に入っても良い（インターフェース７１２）。
【００７９】
ステップ６１８では、絶対位置と、移動速度と、モバイル機器の到着予測時刻（ｅｓｔｉｍａｔｉｅｄ  ｔｉｍｅ  ｏｆ  ａｒｒｉｖａｌ（ＥＴＡ））とが、ＧＰＳとセルラーＩＤとモバイル・モーション・センサーと慣性ナビゲーションとＡＰＩなどの、利用可能な地理位置技術によって特定される。
【００８０】
ステップ６２０では、ユーザーが会場またはサービス提供者の位置へのルート途中である間に、通知ウィジェットがモバイル機器上で開始されても良い。通知ウィジェットは、２つの主な目的にかなう。第１に、通知ウィジェットは、会場またはサービス提供者の位置に、モバイル機器をナビゲートし向かわせる（ステップ６２２参照）。第２に、一旦モバイル機器が会場またはサービスプロバイダの位置に到着したならば、通知ウィジェットはチェック・インとローカル・サービスのアクティベーションを開始する（ステップ６２４参照）。通知ウィジェットは、会場／サービス提供者とモバイル機器との間の通信と通知を容易にしても良い。待ち行列の間、通知ウィジェットは、モバイル機器ユーザーと競合するサービス提供者との間のハイパー関連のモバイル消費者価値提案を創造するために、フィルタとブロードキャスト通知を使用して、競合するサービス提供者とモバイル機器との間の通信を容易にしても良い。これにより、モバイル機器ユーザーは、より競争力の高いオファーを受信することになっても良い。競合する提供者は、サービス提供者が競売に加入することができているサービスに加入し価格入札することを選択しても良い。このようにして、より良いサービスと効率と価格のための環境をつくる。
【００８１】
ここで図８を参照すると、典型的なモバイル機器８００の構成が示されている。モバイル機器８００に存在するのは、オペレーティングシステム８０２である。オペレーティングシステム８０２は、モバイル機器８００から独立していても良く、（例えばＡＰＩを介して）モバイル機器８００センサーと通信リソースにアクセスしても良い。オペレーティングシステム８０２は、いくつかの層を含み、（１）予約と待ち行列作成とＩＤと通信とを取り扱うクラウド・サービス管理層と、（２）決定エンジンに、資産とサービスとコンテキストと人口統計学の情報とを提供する外部データＡＰＩ集約管理層と、（３）フィルタリングのために動的リアルタイム慣性センサー・データを決定エンジンに提供するモバイル機器慣性ナビゲーションシステム（ｉｎｅｒｔｉａｌ  ｎａｖｉｇａｔｉｏｎ  ｓｙｓｔｅｍ（ＩＮＳ））集約管理層と、（４）検索機能とフィルタと通知ロジックとを提供し、ナビゲーションと、道の発見と、推薦などの決定を自動的にできる決定エンジンと、（５）近接追跡と、存在認識と、モバイル機器及びユーザーの認証と、ローカル通信と、コンテンツの配信と、チェック・イン・サービスとを提供するマスター・センサー・ノードの接続及び通信層と、を含む。
【００８２】
クラウド・サービス管理層は、クラウド・サービス管理アプリケーションを含んでも良く、クラウド・サービス管理アプリケーションは、モバイル機器とマスター・ノード・センサー・サービス予約と待ち行列作成契約のための都市／世界ネットワークとクラウドレベル管理サービスとを提供する。クラウド・サービス管理アプリケーションは、多くのデータベースを管理しても良い。多くのデータベースは、ノード・ネットワーク空間データベースと、ユーザーとノードのアカウント・データベースと、リモート／ローカル・ノードと装置認証データベースと、ＩｏＴセンサー／アクチュエーター・ノード発行／予約購読コンテンツ・データベースと、ＩｏＴセンサー／アクチュエーター・ノード・サービス・プロファイル・データベースと、取引／サービス・モバイル・アプリケーション及びＨＴＭＬ５フォーム／ページ・データベースとを含む。
【００８３】
マスター・センサー・ノードの接続及び通信層は、ノード管理アプリケーションと、アセット及びロジスティックス・サービス・アプリケーションとを含んでも良く、それらは会場／ローカル・ノード及び会場位置に関連するサービス配信及び管理プラットホームであってもよい。ノード管理アプリケーションは、クラウド管理アプリケーションによって遠隔的に操作しているモバイル機器との間接通信だけでなく、ＩｏＴセンサー／アクチュエーター・ノードとモバイル機器アプリケーションとの間のすべての直接通信を局所的に処理しても良い。
【００８４】
ノード管理アプリケーションは、以下の条件（１）モバイル機器が、クラウド管理アプリケーションを介して、ノード及び／またはそのサービスへのアクセスを遠隔的にリクエストすること、または（２）ＩｏＴセンサー／アクチュエーター・ノードが、ローカルでモバイル機器の認証をリクエストするか、またはローカルで（例えば、ブルートゥース（登録商標）、Ｗｉ−Ｆｉなどによって)サービスをモバイル機器に提供するために、サービス・プロファイルにアクセスすること、または（３）クラウド管理アプリケーションが、遠隔的に、ノードとモバイル機器との間の、ペアリングまたはボンディングまたはローカル・サービス・プロファイル割当てのためにキー交換をリクエストすること、または（４）オペレーターまたはサービス管理アプリケーションまたは第三者アプリケーションが、モニタリングまたは管理ユーザ・インタフェースを介して直接的に、または、サービスＡＰＩを介して間接的に、ノードまたはネットワークまたはデータベースまたはサービスを、管理または較正または制御するために、アクセスをリクエストすること、のうちの１つによって起動されても良い。
【００８５】
再度図８を参照すると、オペレーティングシステム８０２は複合型モバイル・アプリケーション８０４を提供している。複合型モバイル・アプリケーション８０４は、サービス・ステータスと測定と通知と通信を提供する通知ウィジェット８０６を含む。
【００８６】
ここで図９を参照すると、典型的な通知ウィジェット８０６が示されている。通知ウィジェット８０６は、非アクティブモード９００を含み、会場検索ボタン９０２と、予約及び待ち行列作成ボタン９０４と、安全チャットボタン９０６と、会場ナビゲーションボタン９０８と、取引／支払ボタン９１０とを含む、いくつかのクイック起動ボタンを提供しても良い。
【００８７】
会場接続モード９１２は、モバイル機器が会場またはサービス提供者の位置に存在するとき、ウィジェット８０６によって提供される可能性のある、取引／オファーの提示とチェック・インと待ち行列作成とステータス・アップデートとを含む、サービスを示す。
【００８８】
コラボレーション・モード９１４は、ウィジェット８０６によって提供される可能性のある、フォロー・ミー」通知とインスタント・メッセージングとグループ・チャットとを含む、モバイル・トゥー・モバイル・サービスを示す。
【００８９】
待ち行列作成モード９１６は、ウィジェット８０６によって提供される可能性のある、仮想待ち行列作成とＥＴＡブロードキャスティングとステータス・アップデートとを含む、待ち行列作成サービスを示す。
【００９０】
取引モード９１８は、ウィジェット８０６によって提供される可能性のある、お金の積み立てと、残高確認と、支払いと、現金引出と、支払いまたは取引の履歴とを含む、デジタル支払いサービスを示す。
【００９１】
再度図８を参照すると、ＨＴＭＬ５のページ８０８のスタックは、データを収集し、そのデータに関する動的サービスを制御するために、通知ウィジェット８０６によって起動されても良い。データは、サービスＡＰＩ（例えば、Ｇｏｏｇｌｅ  Ｇｅｏｌｏｃａｔｉｏｎ  ＡＰＩまたはＦｏｕｒｓｑｕａｒｅまたは他の予約サーバーなど）と、ＨＴＭＬ５ユーザ・インタフェース（例えば、メニュー、ナビゲーション、注文フォームなど）と、ＩｏＴセンサー／アクチュエーター（例えば、近接または環境制御センサーと）、モバイル機器搭載センサー（例えば、ＧＰＳまたはＩＮＳまたはＭＥＭＳ）と、消費者向け契約アプリケーションと、を含む複数のソースからのものであっても良い。
【００９２】
その結果、サービスの内部の詳細はユーザー体験から分離され、エンドユーザーに影響を及ぼすことなく、アプリケーションコードの修正または置き換えができる。これにより、２セットのＡＰＩ（消費者のための外部ＡＰＩとサービス提供者のための内部ＡＰＩ）にサービスを提供する分散コンピューティング・アーキテクチャがつくられる。内部ＡＰＩは、管理モジュールを使用するシステム構成を定義する。外部ＡＰＩは、内部ＡＰＩを、より簡単でより安全に、いろいろな外部サービスによって使えるようにして、長距離ネットワーク通信のために最適化されたオペレーティングシステム８０２の簡略化された、ビューを提示する。
【００９３】
再度図６を参照すると、ステップ６２２で、会場またはサービス提供者の所へのユーザーの到着予測時刻（ＥＴＡ）が特定されて、通知ウィジェットによって会場またはサービス提供者にブロードキャストされる。本発明の実施例の１つでは、ＥＴＡが、モバイル機器の位置及び／または移動速度の変化に基づいて、（定期的に、または、リアルタイムで）更新されても良い。そして、更新されたＥＴＡは会場またはサービス提供者にブロードキャストされても良い。同時に、通知ウィジェットは、ユーザーが、予約と仮想行列に関するモバイル機器からの情報、例えば会場地図と、仮想行列ステータスとその最新版と、通知と、グループ予約情報と、ＥＴＡステータスと、チェック・イン情報とを見ることができるようにしても良い。
【００９４】
ステップ６２４では、通知ウィジェットは、ＧＰＳまたはセルラー識別または他のＷＡＮメソッドを使用して、モバイル機器が、会場またはサービス提供者の所に到着したと、特定しても良い。一旦モバイル機器が閾値に達するか、範囲に入ったならば、モバイル機器が会場またはサービス提供者の所に到着したと考えられるような範囲または閾値を、会場またはサービス提供者が設定しても良い。それから、通知ウィジェットは、必要な、ブルートゥース（登録商標）またはＷｉ−Ｆｉのような、ローカルＬＡＮ無線を作動させ、会場またはサービス提供者の所のマスター・センサー・ノードまたは複数のセンサーの少なくとも１つを見つけるか、見つけられるのに必要なスキャンまたは広告ビーコンを開始する。
【００９５】
ここで図１０−１１を参照すると、ローカル会場チェック・イン及び予約の履行及び取引方法１０００のフローチャートが示されており、図１１は図１０のステップを例示している典型的なユーザ・インタフェースを表す。
【００９６】
ステップ１００２では、モバイル機器がＷＬＡＮまたはＷＰＡＮ無線周波数範囲内にあると、サービス管理システムが特定しても良い。ステップ１００４では、サービス管理システムは、適切な操作上のサービス・プロファイルを取得するために、マスター・センサー・ノード管理サーバーにリクエストを送信しても良い。ステップ１００６では、サービス管理システムは、マスター・センサー・ノードで、または、少なくとも複数のセンサーのサービス・プロファイルをロードしても良い。ステップ１００８では、モバイル機器はマスター・センサー・ノードと自動的にペアリングされても良い。
【００９７】
ステップ１０１０では、モバイル機器が会場またはサービス提供者の所に存在する間、モバイル機器が、選択されたサービス・プロファイルにアクセスして管理することができるように、サービス管理システムは、モバイル機器に、例えばＨＴＭＬ５コードのような動的複合型アプリケーションをロードしても良い。ステップ１０１２では、上記されたような認証プロファイルによって、モバイル機器は認証されても良い。
【００９８】
ステップ１０１４では、サービス管理システムは、会場またはサービス提供者の所にモバイル機器をチェック・インして、予約を回収しても良い（インターフェース１１００）。この時点で、オファーまたは屋内ナビゲーションまたは道の発見のような全てのサービスと、オーダー・メニューと、支払いと、サーバー通信とが、ＨＴＭＬ５により提供されるような動的双方向・ウェブ・アプリ・ページの形で、第三者またはサービス管理システムにより配信され、Ｗｉ−Ｆｉまたはブルートゥース（登録商標）のような第２の無線チャンネルを介して、または、セルラー・チャンネルを介して、動的複合型アプリケーション上でモバイル機器に利用可能となっても良い。
【００９９】
一旦モバイル機器が会場またはサービス提供者にチェックされて、会場またはサービス提供者と契約されたならば、通知ウィジェットは「接続済み」にそのステータスを更新し、ネットワーク・タイプ（例えば、ブルートゥース（登録商標）、Ｗｉ−Ｆｉ、セルラー）と、接続タイプ（例えば、プライベート・ネットワーク、パブリック・ネットワーク、プライベート・コラボレーション）、接続期間（例えば、時間と分）、会場またはサービス提供者の名前及びサービス・モード（例えば、シングル、グループ、コミュニティ）などの関連情報を調査しても良い。モバイル機器が物理的に存在し、ネットワークがモバイル機器上で動作中かつ操作可能である限り、ステータスは「接続済み」のままになる。接続済みのユーザーに提供されるサービスは、たとえば、製品・サービス割引とオファーと、援助を求めてのスタッフとのコラボレーションと、友人・家族・同僚との通信と、注文をすることと、アプリでの購入と、オンライン購入と、店内でのピックアップと、アポイントメントと、予約と、価格スキャンと、モバイルを利用した店内での小売購入とを含む。
【０１００】
ステップ１０１６では、通知ウィジェットは、ユーザーのための予約（(例えばテーブル、客室など)の準備ができているという通知を、モバイル機器に送信する。会場内の予約と関連する場所に、ユーザーが自分をナビゲーションできるように、ナビゲーション地図が示されても良い（インターフェース１１０２）。１つの実施例では、予約がテーブル席の場合、ユーザーが待つことなく注文できるように、メニューと、注文と、支払いのためのページが、モバイル機器に表示されても良い。いくつかの実施例では、モバイル機器がチェック・インされた後で、モバイルの客室の鍵またはゲームＶＩＰカードが、ユーザーによってモバイル機器を用いて利用可能になっても良い（インターフェース１１０４）。接続ステータスと、セッションＩＤと、イベント通知サービスとを提供するために、通知ウィジェットは更新されても良い。
【０１０１】
ステップ１０１８では、サービスが完了しているとき、通知ウィジェットは、ユーザーによる支払いの請求書を、受信して提示しても良い。例えばバーコード・スキャン支払い、または近距離通信（ｎｅａｒ−ｆｉｅｌｄ  ｃｏｍｍｕｎｉｃａｔｉｏｎ（ＮＦＣ））支払い、または複数のセンサーのうち少なくとも１つまたはマスター・センサー・ノードを使用した無線ネットワーク・チャンネル支援支払いなどによって、ユーザーはモバイル支払いをすることができる可能性がある（インターフェース１１０６）。レシートは、モバイル機器上で作成され、提示されても良い。
【０１０２】
ステップ１０２０では、モバイル機器がＷＬＡＮまたはＷＰＡＮ無線周波数範囲外に移動したとき、モバイル機器はネットワークから自動的に切断される。切断された状態、または遠隔的なインターネット通信を可能にする「イン・タッチ」状態は、フィルタ処理されたサービス選択に基づいて、会場／サービス提供者とモバイル機器との間の直接通信を可能にする。モバイル機器が物理的に会場またはサービス提供者の所から離れていて、会場またはサービス提供者と契約しておらず、アクティブなサービス予約がない間、イン・タッチ・モードは、関連した取引とオファーを提供する。フィルタリング・サービスは、個人または専門の関連に対して自然に拡大する、モバイル機器への非侵襲的で関連した通知を許容するようにデザインされている。たとえば、ユーザーは無関係な理由のために会場またはサービス提供者の近くにいるかもしれないが、どんな取引またはオファーがその地域で利用できるかを知り、適切にフィルタを設定することに興味を持つ可能性がある。
【０１０３】
他の実施例では、モバイル機器は、予め定義された予定、またはユーザーによって引き起こされたソフトウェア・ログアウト、または他の基準に基づいて、自動的にチェックアウトされても良い。
【０１０４】
本発明のさらに他の実施例では、ライブ・チャットとモバイル商業サービスとが、グループ・コラボレーションと通知サービスとを含む、待ちゼロシステムと方法を通して配信される。所有地上にいる間、地理的フェンスド地域高感度コンテンツ配信と、地域高感度メディア・ストリーミングと、個人的コラボレーションとが認証され、ローカル・エリア・ネットワーク（例えばＷｉ−Ｆｉ、ブルートゥース（登録商標）など）を介してローカルで配信されても良い。
【０１０５】
検索及び予約購読広告システムと方法
本発明のいくつかの実施例では、費用対効果を上昇させるために、リモート検索と、デジタル・サイネージを通して配信されているコンテンツとの関係とを可能にする、改善された広告システムと方法が開示される。広告システムは、会場または他のサービス提供者の所に接続されている可能性があるマスター・センサー・ノードを含む。マスター・センサー・ノードは、存在の仮想ポイントとしての働きをし、特定の場所の中で特定のサービスを希望しているモバイル機器のユーザーに、そのＩＤと絶対位置（例えば、緯度及び経度座標）とを知らしめる。広告システムは、取引／オファーと、製品コンテンツと、双方向資産サービス、例えばチェック・インと予約とメニューと注文情報などを、会場またはサービス提供者の所に物理的に存在するモバイル機器に対して発行しても良い。広告は、モバイル機器上でのユーザーによる検索に応じて発行されても良いし（「引かれる」広告）、または、広告は、モバイル機器で、そのような広告を受信するように予約購読をするローカルまたは遠隔のユーザーに発行されても良い（「押される」広告）。サービス提供者とモバイル機器ユーザーとの間のこの種の連結性によって、サービス提供者及びモバイル機器ユーザーは、自身のサ−ビスをブロードキャストする「チャンネル」（YouTube（登録商標）（ＴＭ）チャンネルのようなものであるが、更に、モバイル機器とのダイアログ接続を提供することによる、フィードバック機能（例えば、インスタント・メッセージ、ライブ・チャット、電話、Ｅメール、テレビ会議など)を含める）を作ることができる。従来の広告と本発明のシステムとの重要な違いは、本発明では、モバイル機器が個人のサイネージ・モニターとして動作するということで、そのことにより、従来のデジタル・サイネージが届かせるより、より広い観衆（例えば、都市または大都市圏中）に広告を届かせることができる。
【０１０６】
ここで図１２を参照すると、広告システム１２００が開示されている。システム１２００は、物理的会場１２０４と関連した、少なくとも１つの識別及び位置特定及び認証システム１２０２を含んでも良い。少なくとも１つの識別及び位置特定及び認証システム１２０２の各々は、ブロードバンドまたは無線ローカルエリアネットワーク・チャンネル１２０８に接続しているマスター・センサー・ノード１２０６と物理的会場１２０４内の複数のセンサー１２１０とを含んでも良い。複数のセンサー１２１０は、ブロードバンドまたは無線ローカルエリアネットワーク・チャンネル１２０８を介して、マスター・センサー・ノード１２０６と通信しても良い。
【０１０７】
マスター・ノード１２０６または複数のセンサー１２１０の各々は、典型的に、従来のデジタル・サイネージ・ディスプレイのホストをつとめるエリアに取り付けられた、物理的ＩｏＴセンサー／アクチュエーター・ノードであっても良い。従来のデジタル・サイネージのように、マスター・ノード１２０６と複数のセンサー１２１０とは、物理的会場に関するコンテンツ、及びそれに関連するサービスに（例えば待ちゼロ行列作成またはテーブル席の予約）に集中した、人口統計学の特定の観衆を対象としても良い。行動への招きは、特定の契約またはユーザーの行動を促す、マスター・ノード１２０６または複数のセンサー１２１０により発行される広告に含まれても良い。
【０１０８】
従来のデジタル・サイネージとは異なり、マスター・ノード１２０６または複数のセンサー１２１０の各々は、遠隔地のモバイル機器のユーザーが、物理的会場１２０４に存在するモバイル機器のユーザーと同じ広告体験を検索及び／または受信することができるように、物理的会場１２０４と、物理的会場１２０４の近くに存在しないモバイル機器との間の仮想接続ポイントとして機能しても良い。デジタル・サイネージで使用される場合、各マスター・センサー・ノードまたは複数のセンサーの各々は、リモート検索と、物理的デジタル・サインにより配信されているコンテンツへの接続とを許容するために、デジタル・サイネージ・プレーヤーのための位置と機能とに割り当てられても良い。これにより、都市全体の、潜在的には世界的なアクセスが、ローカル・デジタル・サイン・メッセージに提供されるので、大幅にデジタル・サイネージの費用対効果を上昇させる。
【０１０９】
更に、広告システム１２００は、クラウド・ベースの広告サービス１２１２を含んでも良い。物理的会場１２０４で展開される少なくとも１つの識別及び位置特定及び認証システム１２０２が、クラウド・ベースの広告サービス１２１２のホストになり、両者は関連しても良い。クラウド・ベースの広告サービス１２１２は、物理的会場１２０４と関連した複数の広告データ１２１４を格納しても良い。
【０１１０】
クラウド・ベースの広告サービス１２１２は、サービス提供者が、物理的会場１２０４でホストになっている各マスター・センサー・ノード１２０６または複数のセンサー１２１０の各々に対して、広告キャンペーンを設計し、開発し、広告を行うことを可能にする。広告キャンペーンは、コンテンツの保存と、モバイル機器１２０８と通信するサービス・プロファイルをつくる発行命令との予め定義されたセットである。サービス・プロファイルは、モバイル機器１２０８への、テキストまたはオーディオまたはビデオのコンテンツの発行を可能にして、１以上の予め定義された、待ち行列作成、または予約をする、またはサービス・メニューまたは目録リストを見る、または無線で支払いをするなどのサービスの選択を可能にする。
【０１１１】
サービス提供者に属する、または特定の物理的会場１２０４と関連する、１つの又はいくつかの又はすべてのマスター・センサー・ノード１２０６に、または、複数のセンサー１２１０の１つ又はいくつか又はすべてに、広告キャンペーンが割り当てられても良い。あるいは、広告キャンペーンは、各マスター・センサー・ノード１２０６または複数のセンサー１２１０の物理的位置と目的によって、論理的機能に分けられることができる。たとえば、第１のマスター・センサー・ノード１２０６または複数のセンサー１２１０の少なくとも１つは、レストランの入口に設置されて、ローカル・チェック・インを実行し、予約済のテーブル席のような目的地にモバイル機器１２０８をナビゲートしても良い。第２のマスター・センサー・ノード１２０６または複数のセンサー１２１０の少なくとも１つは、予約済のテーブル席に物理的に設置されて、モバイル機器１２０８へのサービス・メニューの配信と、チェックアウト時の支払いアプリケーションとを起動しても良い。第３のマスター・センサー・ノード１２０６または複数のセンサー１２１０の少なくとも１つは、デジタル・サイネージ・ディスプレイに物理的に設置され、モバイル契約アプリによってサービスまたは会場またはトピックを検索し、関連した検索項目をクリックすることによって、遠隔的にデジタル広告サービスにリモートアクセスすることを可能にしても良い。サービス・プロファイル及び／またはコンテンツは、マスター・センサー・ノード１２０６を介して、または物理的会場１２０４のローカル・ネットワークを介して、または物理的会場１２０４の外部のクラウド・ネットワークを介して、配信されても良い。サービス・プロファイルは、アンバー・アラート（Ａｍｂｅｒ  Ａｌｅｒｔｓ）またはシビアな天気警報などの非常事態に関する追加のサービスとコンテンツを含んでも良いと想像される。
【０１１２】
広告システム１２００は、メディア・サーバー、または販売地点（Ｐｏｉｎｔ  ｏｆ  Ｓａｌｅ（ＰＯＳ）サーバー、または資産管理システム（Ｐｒｏｐｅｒｔｙ  Ｍａｎａｇｅｍｅｎｔ  Ｓｙｓｔｅｍ（ＰＭＳ））、またはカジノ管理システム（Ｃａｓｉｎｏ  Ｍａｎａｇｅｍｅｎｔ  Ｓｙｓｔｅｍ（ＰＭＳ））などの１以上の資産に特有のシステムとの統合を可能にする、第三者システムＡＰＩをさらに発行しても良い。
【０１１３】
広告システム１２００は、更に、セルラー・ネットワーク・チャンネル１２２０に接続しているモバイル機器１２１８にインストールされた広告アプリケーション１２１６を含んでも良い。広告アプリケーション１２１６はローカル・サービスの検索リクエストを送信しても良く、検索リクエストに応じてクラウド・ベース広告サービス１２１２から、物理的会場１２０４に関する広告データ１２１４を受信して、表示しても良い。広告データ１２１４はモバイル機器１２１８の位置及び／または物理的会場１２０４の位置及び／または検索キーワードに基づいて、モバイル機器１２１８に提示するために選択されても良い。
【０１１４】
広告データ１２１４は、地図ビューまたはリストビューまたは拡張現実ビューで表示されても良い。ユーザーは、モバイル機器１２１８上でビュー間をトグルしても良い。１つの実施例では、モバイル機器１２１８が水平位置から垂直位置まで傾けられたとき、予め定義された閾値（例えば、４５度、９０度、３６０度など)を通り過ぎている常駐の慣性センサー(例えば、加速度計)に従って、拡張現実ビューが起動されても良い。逆に、モバイル機器１２１８が垂直位置から水平位置まで傾けられた（すなわち、慣性センサーが逆方向で閾値を通り過ぎる）とき、オリジナルのディスプレイ・ビュー（例えば、リストビューまたは地図ビュー）が起動されて表示される。
【０１１５】
拡張現実ビューは、モバイル機器１２１８から近くの会場への方向および距離など、近くの会場に関する詳細な情報を得る参考ポイントとして、モバイル機器１２１８の位置を使用しても良い。たとえば、ユーザーは徒歩で移動していて、現在位置から徒歩圏内の特定のサービスのための会場をすべて知ることに興味を持つ場合がある。
【０１１６】
本発明の実施例の１つでは、拡張現実ビューは、検索機能に基づいて、ユーザーが、モバイル機器１２１８の現在位置以外の位置に「テレポート」することを可能にする。ユーザーが会場またはサービス提供者の所を検索して選択したとき、ユーザーは選択した会場の近くの、他の会場／サービス提供者を見ることができても良い。それから、ユーザーは他の会場／サービス提供者を選択して、新しく選択した会場／サービス提供者の所に「テレポート」しても良い。このように、まるでユーザーが新しい場所に物理的に存在するかのように、ユーザーに表示される拡張現実ビューにより、ユーザーの眺望が、モバイル機器１２１８の現在位置から新しい位置へ変化する。テレポーテーション機能は、モバイル機器１２１８の現在位置を、新しい位置のノードの絶対位置（例えば、緯度及び経度座標）に置換することによって達成され、それにより、自身が新しい位置にいると信じるようにモバイル機器１２１８をだます。この機能は、新しい位置への将来の訪問のためにサービスを見つける必要があるユーザーの助けになる場合がある。たとえば、異なる都市への旅行を予定し、近くに喫茶店とレストランとビジネス・サービスとジムとがあるホテルに泊まることを望むユーザーを考慮する。選択したホテルの位置にユーザーの眺望を「テレポーティング」することにより、ユーザーは、近くのサービスを見て、選択したホテルがユーザーの好みに合致することを確かめることができる。ホテル到着のような先の予約をし、テレポーテーション検索を開始することによって、モバイル機器のユーザーは、複数の（入れ子になった）経時的順序で予定された待ち行列作成契約をして、待ちゼロ契約がずっと段階的に行えるように、選択できる。
【０１１７】
ここで図１３を参照すると、広告システム１２００を介して、検索し、モバイル機器１２１８に取引と提案を送信する方法１３００のフローチャートが示されている。方法１３００は、従来の広告を補うか、または完全に置き換わるように使用される可能性があると想像される。
【０１１８】
ステップ１３０２では、モバイル機器１２１８がマスター・センサー・ノード１２０６の所定範囲内にあること、例えば、物理的会場１２０４に存在することを、マスター・センサー・ノード１２０６が特定しても良い。ステップ１３０４では、識別及び位置特定及び認証システム１２０２は、ローカル・ネットワーク接続を介してモバイル機器１２１８に任意に接続しても良い。ステップ１３０６では、識別及び位置特定及び認証システム１２０２は、物理的会場１２０４に関連したロイヤルティ・システムに対し、モバイル機器１２１８のＩＤを確認し、認証しても良い。この時点で、物理的会場１２０４に存在する間、モバイル機器１２１８には、クラウド・ベース広告サービス１２１２を介して電子的に利用できるどんな取引またはオファーへのアクセスが自動的に許可されても良い。
【０１１９】
ステップ１３０８では、クラウド・ベース広告サービス１２１２は、モバイル機器１２１８から検索リクエストを受信しても良い。モバイル機器１２１８のユーザーは、取引とオファーと他の会場／サービス提供者とを、ウェブ・ブラウザー検索と同様にして検索しても良い。しかし、クラウド・ベース広告サービス１２１２を介した検索の長所は、すべての検索結果がユーザーから所定距離の範囲内であるように、主要な検索属性としてモバイル機器１２１８の位置を使って検索が実行されうるということだ。ステップ１３１０では、クラウド・ベース広告サービスは、モバイル機器１２１８に検索結果のリストを返信する。任意で、ステップ１３１２では、サービス提供者が、モバイル機器１２１８から、検索結果から選択されたサービスの予約を受け入れても良い。
【０１２０】
ここで図１４を参照すると、広告システム１２００によって、遠隔の、予約購読するモバイル機器１２１８に対し、取引とオファーを発行する方法１５００のフローチャートが示されている。方法１４００は、従来の広告を補うか、または完全に置き換わるように使用される可能性があると想像される。
【０１２１】
ステップ１４０２では、モバイル機器１２１８のユーザーが、広告アプリケーション１２１６によって、１以上のサービス提供者に関連する広告を予約購読するという指標を、クラウド・ベース広告サービス１２１２が受信しても良い。ステップ１４０４では、クラウド・ベース広告サービス１２１２は、定期的に、または、新しい取引またはオファーまたは他の広告が利用できるようになったら、広告アプリケーション１２１６によってモバイル機器１２１８に取引またはオファーまたは他の広告を送信（または「プッシュ」）しても良い。広告がクーポンであるならば、クーポンは広告アプリケーション１２１６に保存されても良い。
【０１２２】
任意で、ステップ１４０６では、サービス提供者は、モバイル機器１２１８の広告アプリケーション１２１６から、広告したサービスの予約を受け入れても良い。
【０１２３】
ここで図１５を参照すると、広告システム１２００によって、ローカルの、予約購読するモバイル機器１２１８に対し、取引とオファーを発行する方法１５００のフローチャートが示されている。方法１５００は、従来の広告を補うか、または完全に置き換わるように使用される可能性があると想像される。
【０１２４】
ステップ１５０２では、モバイル機器１２１８のユーザーが、広告アプリケーション１２１６によって１以上のサービス提供者に関連する広告を予約購読するという指標を、クラウド・ベース広告サービス１２１２は受信しても良い。マスター・センサー・ノード１２０６から所定範囲内にある予約購読する装置だけに広告が送信されるように、クラウド・ベース広告サービス１２１２による予約購読が、主要な属性としてモバイル機器１２１８の位置を使用すること以外は、広告の予約購読は、電子メールによる予約購読または他のウェブ・ベースの予約購読サービスと同様に機能する。そのように、広告はサービスから近隣の顧客をターゲットにできる。
【０１２５】
ステップ１５０４では、モバイル機器１２１８がマスター・センサー・ノード１２０６から所定範囲内にあると、マスター・センサー・ノード１２０６が特定しても良い。ステップ１５０６では、識別及び位置特定及び認証システム１２０２は、ローカル・ネットワーク接続（例えば、ブルートゥース（登録商標）またはＷｉ−Ｆｉ）を介して、モバイル機器１２１８に任意に接続しても良い。ステップ１５０８では、識別及び位置特定及び認証システム１２０２は、物理的会場１２０４に関連したロイヤルティ・システムに対し、モバイル機器１２１８のＩＤを特定し、認証しても良い。この時点で、物理的会場１２０４に存在する間、モバイル機器１２１８には、広告アプリケーション１２１６によって、クラウド・ベース広告サービス１２１２による電子的に利用可能なあらゆる取引またはオファーへのアクセスが自動的に許可される。ステップ１５１０では、クラウド・ベース広告サービス１２１２は、モバイル機器１２１８上の広告アプリケーション１２１６に対し、取引またはオファーまたは他の広告を送信（または「プッシュ」)しても良い。広告がクーポンであるならば、クーポンは広告アプリケーション１２１６に保存されても良い。
【０１２６】
任意で、ステップ１５１２では、サービス提供者は、モバイル機器１２１８の広告アプリケーション１２１６から、広告されたサービスの予約を受け入れても良い。
【０１２７】
クラウド・ベース広告サービス１２１２は、モバイル機器１２１８の広告アプリケーション１２１６と１以上のサービス提供者との間の対話も可能としても良い。たとえば、モバイル機器１２１８は、広告アプリケーション１２１６を介したダイアログとコラボレーション・サービスへの動的アクセスを備えていても良い。例えば、インスタント・メッセージ、ライブ・チャット、ゲーム、電話、Ｅメール、テレビ会議などである。これにより、通知／メッセージが、物理的会場のすべてのユーザーにブロードキャストされることを可能にし、または個々に特定のモバイル機器１２１８に個別に送信されることを可能にする。
【０１２８】
ここで図１６を参照すると、サービス・プロファイルを更新して、広告システム１２００によってコンテンツを発行する方法１６００のフローチャートが示されている。一旦予約が（たとえば、方法１３００または方法１４００または方法１５００によって）なされたならば、ステップ１６０２では、安全キーが、モバイル機器１２１８とマスター・センサー・ノード１２０６との間で交換される。このプロセスの詳しい解説は、図４で上述した。
【０１２９】
ステップ１６０４では、モバイル機器１２１８の位置が特定される。ステップ１６０６では、モバイル機器１２１８のＥＴＡは、図６で先述したように、計算されて、マスター・センサー・ノード１２０６にブロードキャストされる。ステップ１６０８では、マスター・センサー・ノード１２０６またはクラウド・ベース広告サービス１２１２は、モバイル機器１２１８がマスター・センサー・ノード１２０６のレンジ範囲内であると検出されるまで、モバイル機器１２１８のＥＴＡを絶えずモニターする。
【０１３０】
ステップ１６１０では、一旦モバイル機器１２１８がマスター・センサー・ノード１２０６のレンジ範囲内となったならば、マスター・センサー・ノード１２０６またはクラウド・ベース広告サービス１２１２は、広告アプリケーション１２１６によってモバイル機器１２１８に対するカスタムメイドのサービスを広告するために、そのサービス・プロファイルを更新しても良い。たとえば、マスター・センサー・ノード１２０６は、記憶量が限られている場合があって、複数のサービス・プロファイルをアクティブにしているかもしれない。マスター・センサー・ノード１２０８は、待ち行列作成とＥＴＡ特定パターンに基づいてアクティブなサービス・プロファイルを管理しても良い。動的なローカルまたは遠隔のネットワーク・プログラミングまたは更新は、広告アプリケーション１２１６の選択または広告アプリケーション１２１６からのリクエストに基づいて提供されても良い。広告がクーポンであるならば、クーポンは広告アプリケーション１２１６に保存されても良い。
【０１３１】
本発明の他の実施例では、サービス・プロファイルが遠隔的に更新されないように、マスター・センサー・ノード１２０６には、特定の機能を実行するために、専用のサービス・プロファイルが割り当てられても良い。マスター・センサー・ノード１２０６は、高セキュリティ認証モードで作動しても良い。高セキュリティ認証モードは、オンラインまたは資産上の無線ゲームのような特定の管理されたサービスのために必要とされる可能性がある。
【０１３２】
その上、クラウド・ベース広告サービス１２１２は、マスター・センサー・ノード１２０６に関する様々なパラメータ、例えば位置と、名前またはＩＤと、マスター・センサー・ノード１２０６を通り抜けているフレーム・トラフィックとを制御しても良い。クラウド・ベース広告サービス１２１２は、提供されるサービスを分析して、最適化するために、ユーザー・コンテキストと位置特定統計とを収集しても良い。
【０１３３】
仮想テレポーテーション・システムと方法
ここで開示されるシステムの検索機能に関連して使用される、仮想「テレポーテーション」機能は、検索時のユーザーの現在位置と異なる位置への将来の訪問のために、サービスを見つける必要があるユーザーの助けになる可能性がある。たとえば、異なる都市への旅行を予定しており、近くに喫茶店とレストランとビジネス・サービスとジムとがあるホテルに泊まりたいと望むユーザーを考慮する。選択したホテルの位置にユーザーの眺望を「テレポーティング」することにより、ユーザーがその位置（例えば異なる都市）に行って検索を実行するまでユーザーを待たせることなく、ユーザーは、近くのサービスを見て、選択したホテルがユーザーの好みに応ずることを確かめることができる。
【０１３４】
本発明のいくつかの実施例では、仮想テレポーテーション・サービスを利用するためのシステムと方法が開示されている。ここで図１７を参照すると、遠隔広告システム１７００が例示されている。遠隔広告システム１７００は、物理的会場１７０４と関連した少なくとも１つの識別及び位置特定及び認証システム１７０２を含んでも良い。物理的会場１７０４は、物理的な小売会場またはホテルまたはカジノまたは劇場または商取引ポイントまたは情報ポイントまたは興味ポイントなどであっても良い。
【０１３５】
識別及び位置特定及び認証システム１７０２は、直接的または間接的に、ブロードバンド・ネットワーク・チャンネル１７０８に接続している少なくとも１つのマスター・センサー・ノード１７０６を含んでも良い。識別及び位置特定及び認証システム１７０２は、更に、物理的会場１７０４内の複数のセンサー１７１０を含んでも良く、複数のセンサー１７１０は、無線ネットワーク・チャンネル１７１２を介してマスター・センサー・ノード１７０６と通信する。マスター・センサー・ノード１７０６と複数のセンサー１７１０は、物理的会場１７０４に物理的に設置されても良く、各々が対応する緯度と経度と高さの値を有し、データを識別するように、測地学的に配置されても良い。
【０１３６】
遠隔広告システム１７００は、少なくとも１つの識別及び位置特定及び認証システム１７０２がホストとなり、物理的会場１７０４で展開されるクラウド・ベース広告サービス１７１４を更に含んでも良い。クラウド・ベース広告サービス１７１４は、物理的会場１７０４に関する複数の広告データ１７１６を格納していても良い。各マスター・センサー・ノード１７０６と複数のセンサー１７１０は、１つのサービスまたは複数のサービスと関係している場合がある。これらのサービスに関するデータは、(例えば、会場タイプまたはサービスのカテゴリーによって、会場またはサービス提供者を分類することによって）編成され、クラウド・ベース広告サービス１７１４に格納されても良い。
【０１３７】
遠隔広告システム１７００は、セルラー・ネットワーク・チャンネル１７２２に接続していてもよいモバイル機器１７２０にインストールされたアプリケーション１７１８を更に含んでも良い。
【０１３８】
アプリケーション１７１８は、モバイル機器１７２０に関する位置と対応している座標の第１のセットを特定しても良い。アプリケーション１７１８は、更に、カテゴリーに基づいて会場とサービスをフィルターにかけ、かつ物理的会場１７０４に位置するマスター・センサー・ノード１７０６または複数のセンサー１７１０に関するサービスの第１の検索リクエストを送信するＡＰＩにアクセスしても良い。第１の検索リクエストは、少なくとも1つの選択カテゴリー（例えば、ホテル）を含んでも良い。検索リクエストは、特定の位置（例えば、都市、郡、郵便番号、物理アドレスなど）と、特定の位置からの距離範囲（例えば、都市から１０マイル以内）と、興味のあるサービスまたはポイントの近く、または、それらの組み合わせなどの追加のフィルターを含んでも良い。たとえば、検索リクエストは、以下のパラメータ：フランスのパリで、エッフェル塔から５マイル範囲内のホテル、を含んでも良い。クラウド・ベース広告サービス１７１４は、検索リクエストのパラメータにマッチしている、適切な物理的会場またはサービスの候補を見つけるために、クラウドトラック（ｃｌｏｕｄＴｒａＱ）またはグーグル（Ｇｏｏｇｌｅ）またはフォースクエア（Ｆｏｕｒｓｑｕａｒｅ）資産データベースなどの、世界的な会場データベースＡＰＩ１７２４にアクセスしても良い。
【０１３９】
アプリケーション１７１８は、第１の検索リクエストに応じたクラウド・ベース広告サービス１７１４から、物理的会場または関連サービスのリストを受信して表示しても良い。リストは、限定されたフィールド・ビューで提示されても良く、方向と距離のデータは、モバイル機器の特定された位置に基づいて提示されても良い。リストは、地図ビューまたはリスト・ビューまたは拡張現実ビューで表示されても良い。ユーザーは、モバイル機器１７２０上で、ビュー間をトグルしても良い。実施例の１つでは、モバイル機器１７２０が水平位置から垂直位置まで傾けられたとき、予め定義された閾値（例えば、４５度、９０度、３６０度など)を通り過ぎている常駐の慣性センサー(例えば、加速度計)に従って、拡張現実ビューが起動されても良い。逆に、モバイル機器１７２０が垂直位置から水平位置まで傾けられた（すなわち、慣性センサーが逆方向で閾値を通り過ぎる）とき、オリジナルのディスプレイ・ビュー（例えば、リストビューまたは地図ビュー）が起動されて表示される。
【０１４０】
リストから、少なくとも１つの物理的会場または関連サービスは、テレポーテーション表示器を含んでも良い。アプリケーション１７１８は、更に、テレポーテーション表示器が選択されたという指標を受信しても良い。任意で、選択された会場またはサービスだけを表示するフィールド・ビューが提示されても良い。
【０１４１】
アプリケーション１７１８は、選択された会場または関連サービス（例えば、物理的会場１７０４）に関連した位置と一致している座標の第２のセットを特定しても良く、座標の第１のセットを座標の第２のセットに置き換えても良い。このように、モバイル機器１７２０に表示されたフィールド・ビューを介して、ユーザーは、第１の位置（モバイル機器の現在位置）から第２の位置（検索された位置）まで仮想的にテレポートされる。
【０１４２】
アプリケーション１７１８は、更に、選択したカテゴリーを含むサービスの第２の検索リクエストを送信し、少なくとも座標の第２のセットに基づいて、選択されたカテゴリーにマッチしている物理的会場の第２のリストを受信して表示しても良い。第２のリストは限定されたフィールド・ビューで提示されても良く、方向および距離データは選択された物理的会場または関連サービスに関する位置に基づいて提示されても良い。
【０１４３】
ユーザーがローカル資源をどんな検索位置ででも見つけることができるよう、テレポーテーション機能は、必要回数、繰り返し実行されても良い。
【０１４４】
モバイル機器１７２０を介して、テレポーテーション機能を使用しているユーザーが、特定のサービスを視聴できる及び／または契約できるかは、アクセスが能動的であるか受動的か次第であっても良い。
【０１４５】
図１８によれば、能動的テレポーテーション・モードを使用して検索するための方法１８００のフローチャートが示されている。選択された物理的会場または関連サービスがマスター・センサー・ノード１７０６を有しており、テレポーテーション機能（例えば、表示される場合はテレポーテーション表示器を含む）をサポートするならば、ステップ１８０２では、ユーザーは、会場と、例えば予約することによって、契約しても良い。
【０１４６】
日または休暇／旅行の全てなどの期間を通して待ちゼロにできるように、入れ子になった一連の予定を作成するために、検索の間に、テレポーテーション機能が開始されうる点に留意する必要がある。
【０１４７】
（たとえば、方法１３００または方法１４００または方法１５００によって）一旦予約がなされたならば、モバイル機器１７２０のＩＤを特定し、認証するために、ステップ１８０４で、モバイル機器１７２０とマスター・センサー・ノード１７０６との間で、安全キーが交換されても良い。ステップ１８０６では、会場からの安全キーで、アプリケーション１７１８のテレポーテーション表示器が選択されても良い。ステップ１８０８では、モバイル機器１７２０のデジタル測地学的位置（例えば、緯度／経度）は、モバイル機器１７２０が接続された会場のデジタル測地学的位置に、仮想的にテレポートされる。
【０１４８】
能動的テレポーテーション・モードでは、ユーザーは、物理的位置の正確な緯度と経度に物理的に立っている人の視点で、会場と周囲のエリアの３６０度の仮想ビューにアクセスするのに拡張現実ビューを使用することができても良い。マスター・センサー・ノード１７０６は、任意で、ライブ・ストリーミングの、または３６０度のパノラマ画像を保存するカメラを含んでも良い。ユーザーがカメラを回転させる間、（拡張現実モードの）アプリケーション１７１８は周囲のエリアの、ストリームされた、または保存された画像を表示しても良い。能動的テレポーテーション・モードでは、ユーザーは、会場サービスに遠隔的にログインし、そして、会場に特有のリソース、例えばメニューと、目録と、予約ステータスと、他の客に関する情報（例えば、友人と家族が会場にチェック・インにしたか否か、否の場合、彼ら各々の会場へのＥＴＡ）などにアクセスすることもできる。ユーザーは、携帯電話１７２０（例えば、アイペイ（ｉＰａｙ））)によって会場に直接支払い可能であっても良い。図１９は、能動的テレポーテーション・モードで動くアプリケーション１７１８を表示する典型的なモバイル機器１７２０を例示する。
【０１４９】
図２０によれば、受動的テレポーテーション・モードを用いて検索する方法２０００のフローチャートが示される。ステップ２００２では、会場の絶対位置（例えば、緯度及び経度座標）が、アプリケーション１７１８に入力されても良い。もし知っているなら、ユーザーは会場の絶対位置を手入力しても良く、または、絶対位置は、地図エンジンなどの第三者サービスを利用して生成されても良い。会場がマスター・センサー・ノード１７０６を有するならば、その絶対位置ノードだけが使用され、アプリケーション１７１８は、受動的テレポーテーション・モードではマスター・センサー・ノード１７０６と通信しない。会場または興味のあるポイントの絶対位置が知られている限り、受動的テレポーテーション・モードは、マスター・センサー・ノード１７０６なしで、会場または興味のあるポイントに対して機能する。
【０１５０】
ステップ２００４で、モバイル機器１７２０のデジタル測地学的位置（例えば、緯度・経度）は、会場の絶対位置のデジタル測地学的位置に、仮想的にテレポートされる。受動的テレポーテーション・モードでは、ユーザーは、検索して、リスト・ビューまたは地図ビューまたは拡張現実ビューで、会場位置のビューのポイントから、サービスを見ることが可能であっても良い。しかし、会場サービスと会場特有のリソースへのリモート・ログインへのアクセスは、利用できない。さらに、マスター・センサー・ノード１７０６に特有のコンテンツ、例えばカメラコンテンツ（例えば、３６０度のパノラマ画像、ライブビデオ・ストリームなど）などは、受動的テレポーテーション・モードでは利用不可能であっても良い。図２１は、受動的テレポーテーション・モードで動くアプリケーション１７１８を表示する典型的なモバイル機器１７２０を例示する。
【０１５１】
ここで図２２を参照すると、本発明の実施例の１つによるシステム２２００が例示されている。システム２２００は、識別及び位置特定及び認証システム１００と、待ちゼロ発行及び検索及び待ち行列作成システム５００と、広告システム１２００と、遠隔的広告１７００とを含む。
【０１５２】
産業上の応用
図２３〜図４１は、発明の複数の典型的な実施例を示し、とりわけ発明の様々な産業上の応用を例示する。
【０１５３】
ここで図２３を参照すると、識別及び位置特定及び認証システム（１）のトポロジーが示されている。物理的会場に配置されたマスター・センサー・ノードまたは複数のマスター・センサー・ノードは、各々ブロードバンド・ネットワーク・チャンネルに接続しており（２）、物理的会場（３）には複数のセンサー、複数のセンサーはマスター・センサー・ノードと無線周波数ネットワーク・チャンネルを介して接続されており、または各々が自身のブロードバンド・ネットワーク・チャンネル（４）を有しており、複数のセンサーとマスター・センサー・ノードとは無線ネットワーク・チャンネル（５）を介してモバイル機器に通信的に接続され、マスター・センサー・ノードまたは複数のセンサーは、それ自体の近傍にあるモバイル機器（６）の識別をし、その位置を特定する。マスター・センサー・ノードは、第三者（７）に対し、モバイル機器ＩＤと位置を認証し、第三者システムは、マスター・センサー・ノード及び位置を認証し、サービス（８）に対し、モバイル機器認証を確認し、第三者はモバイル機器の認証を受信して、モバイル機器に、第三者（９）と関連したネットワーク接続に対するアクセスを提供する。
【０１５４】
ここで、図２４を参照すると、識別及び位置特定及び認証システムで、１つのノードを使用する場合のトポロジーが示されている。センサー・ノードは、モバイル機器ＩＤ及び位置を認証して、予約内容を受信する。
【０１５５】
ここで、図２５を参照すると、識別及び位置特定及び認証システムで、複数のノードを使用する場合のトポロジーが示されている。センサー・ノードは、モバイル機器ＩＤ及び位置を認証して、予約内容を受信する。
【０１５６】
ここで、図２６を参照すると、識別及び位置特定及び認証システムで、１つのノードを使用する場合のトポロジーが示されている。センサー・ノードは、センサー・ノードからのコンテンツ・サービスをリクエストしている、モバイル機器ＩＤ及び位置を認証する。
【０１５７】
ここで、図２７を参照すると、識別及び位置特定及び認証システムで、複数のノードを使用する場合のトポロジーが示されている。センサー・ノードは、センサー・ノードからのコンテンツ・サービスをリクエストしている、モバイル機器ＩＤ及び位置を認証する。
【０１５８】
ここで、図２８を参照すると、識別及び位置特定及び認証システムで、１つのノードを使用する場合のトポロジーが示されている。センサー・ノードは、コンテンツ・サービスのリクエストに対し、モバイル機器ＩＤ及び位置を認証する。
【０１５９】
ここで、図２９を参照すると、識別及び位置特定及び認証システムで、複数のノードを使用する場合のトポロジーが示されている。センサー・ノードは、コンテンツ・サービスのリクエストに対し、モバイル機器ＩＤ及び位置を認証する。
【０１６０】
ここで、図３０を参照すると、識別及び位置特定及び認証システムの認証レベルのダイアグラムである。３つのレベルは、ゾーンとセッションとサービスである。
【０１６１】
ここで、図３１を参照すると、待ちゼロモバイル消費者契約ライフサイクル技術の手続き的なフロー図が示されている。
【０１６２】
ここで、図３２を参照すると、チャンネル・センサー(直接消費者に提案発行し、予約購読し、クラウド検索する）・システム（１）のトポロジーが示されている。物理的会場に配置されるか、または遠隔的に、ブロードバンド・ネットワーク・チャンネル（２）に接続しているマスター・センサー・ノードまたは複数のマスター・センサー・ノード、物理的会場（３）の複数のセンサー、複数のセンサーは、無線ネットワーク・チャンネルまたはブロードバンド・ネットワーク・チャンネル（４）を介して、マスター・センサー・ノードと通信し、クラウド・取引／提案サービス（Ｃｌｏｕｄ  Ｄｅａｌ／Ｏｆｆｅｒ  Ｓｅｒｖｉｃｅ（ＣＯＳ））（５）は、物理的会場に配置されるか、または遠隔的に、ブロードバンド・ネットワーク・チャンネル（６）に接続しているマスター・センサー・ノードまたは複数のマスター・センサー・ノードに通信的に接続しており、ＣＯＳは、セルラー・ネットワーク・チャンネルまたはブロードバンド・ネットワーク・チャンネル（７）を介して、１以上のモバイル機器に通信的に接続しており、ウェブ・アプリケーション・ユーザ・インタフェースは作成者に使用され、クラウド・取引／提案サービス（ＣＯＳ）（９）への１以上の取引／提案を発行し（８）、クラウド・取引／提案サービス（ＣＯＳ）は、複数の取引／提案の各々が、特定のマスター・センサー・ノードまたは複数のセンサーのうちの１以上に関連している場合に、ＩＤ及び位置及びサービス（１１）を取得する（１０）ために、マスター・センサー・ノードまたは複数のセンサーの少なくとも1つと通信し、クラウド・取引／提案サービス（ＣＯＳ）（１２）に格納され、モバイル機器（１３）にインストールされたモバイル取引／提案検索アプリと、複数の取引／提案と、クラウド・取引／提案サービスは、セルラーまたはブロードバンド・ネットワーク・チャンネル（１４）を介して、モバイル機器に通信的に接続され、モバイル取引／提案検索アプリは、位置を示し、クラウド・取引／提案サービス（ＣＯＳ）（１５）からの取引／提案をリクエストし、そして、クラウド・取引／提案サービス（ＣＯＳ）は、電子的に取引提案クーポンを取得して、それを電子的にモバイル取引／提案検索アプリに送信し、アプリ（１６）にクーポンを格納する。
【０１６３】
ここで図３３を参照すると、チャンネル・センサー・テレポーテーション動作（遠隔的ＩｏＴセンサー検索と、テレポートと、検索手順）システムのトポロジーが示されている。遠隔地中心の広告検索及び契約システム（１）は、物理的小売り会場でのマスター・センサー・ノードと複数のセンサーの地理的分布と、ビジネス取引ポイント及び情報のポイント（２）と、物理的会場または他の興味のあるポイントに位置する複数のマスター・センサー・ノードまたは複数のセンサーであって、ブロードバンド・ネットワーク・チャンネル（３）に直接的または間接的に接続され、絶対値の緯度・経度と高度と識別データ値（４）で測地学的に配置され、複数のマスター・センサー・ノードまたは複数のセンサーは物理的に設置され（５）、彼らのビジネスまたはサービスまたは製品またはトピックのカテゴリー（６）によって、クラウド・ホスト・データベース内に論理的に整理され、セルラーまたはブロードバンド・ネットワーク・チャンネル（７）を介して、１以上のモバイル機器に通信的に接続され、モバイル機器は、ビジネスまたはサービスまたは製品またはトピック・カテゴリー（８）に基づいて、会場とそれらのサービスとを、モバイル・アプリがフィルタ処理することを可能にするAPIにアクセスすることによって、チャンネル・センサー・クラウド・データベースに接続された検索アプリを有し、フィルタ処理された項目は、方向及び距離決定論的な選択（９）を可能にするために、限られた視野で提示されても良く、検索アプリを有するモバイル機器は、リスト・ビューまたは地図ビューまたはカメラ拡張現実ビューまたはヘッド・アップ・ディスプレイ・ビューまたは仮想現実ビュー（１０）を含む複数のビューで、モーション・センサー及びフレキシブルＵＸを使用して、ローカル検索結果を表示することができ、カテゴリー検索は、ビュー選択（１１）でリクエストされたビジネスまたはサービスまたは製品またはトピックを示す検索項目だけを表示するために、クラウド・ホスト・データベースをフィルターにかけ、１以上のビューは、実際にはモバイル機器上のセンサーを使って方向と距離とに基づいて、モバイル機器とチャンネル・センサー・ノード（１３）との両方の位置を取得することによって、この情報を特定して、モバイル機器検索アプリ内で項目を選択することによって、選択された検索項目（１２）を表示するビュー・フィールドを提示し、ユーザーは、チャンネル・センサー・クラウド・データベースからノードの位置情報を取得し、それと（１４）にテレポートされるノードの位置特定に使用された検索アプリの物理的位置とを交換することで、マスター・センサー・ノードまたは複数のセンサーの１以上に仮想的テレポーテーションを行うことができる。モバイル機器検索アプリは、チャンネル・センサー・クラウド・データベース内で仮想的にテレポートされ、ノード位置（１５）を示す。新規検索が、テレポートされたノードに関する距離と方向で検索項目を表示し、モバイルアプリでノード位置（１６）に関するビジネスとサービスと製品とトピックを見られるようにし、新規検索は、モバイル機器の内部センサーとチャンネル・センサー・クラウド・データベース（１９）から得た情報とを使って、方向と距離の情報（１８）を備える、ビューの検索フィールドを有する、ノード位置（１７）に関する項目を表示し、複数の検索ビューの１つの中で唯一の項目を選択すると、物理的位置のモバイル機器に、テレポートした仮想位置（２１）からリクエストしたサービスが配信される。
【０１６４】
ここで図３４を参照すると、待ちゼロ複合型モバイル・アプリケーションの構成が示されている。フレキシブルな複合型アプリ分散構成は、（１）メータリングとイベント・エージェントとして動き、内部アプリケーション通信と、外部サービス通信と、通知と、イベントの起動とを管理する、オペレーティングシステム・デスクトップにあるネイティブ・ウィジェットと、（２）内部の装置センサーＡＰＩと外部のネットワーク化されたサービスＡＰＩとを管理する、ＡＰＩベースの複合型アプリと、（３）複合型モバイル・アプリ内で外部及び第三者ウェブ・サービスを開始する内部アプリのブラウザーとを含む。
【０１６５】
ここで図３５を参照すると、ネイティブ・アプリケーション・ウィジェットの構成が示されている。（１）ネイティブ・ウィジェットは、フルスクリーン・アプリを開ける必要なく、インスタント・アクセスとサービス・データの容易なモニタリングができるように、モバイル機器オペレーティングシステム・デスクトップ上に存在する。（２）通知ウインドウは、ＡＰＩ管理インフラストラクチャーによって、内部（モバイル機器）サービス・データと外部（ウェブとネットワーク・アプリケーション・サーバー）サービス・データとを見ることを可能とする。（３）サービス操作ボタン・グループはアプリを起動し、サービスを管理するのに使用される。（４）アプリケーション割り当てボタン、例えば検索ボタンは、検索スクリーンを起動する。（５）アプリケーション割り当てボタン、例えばチャット・ボタンは、通信とソーシャル・ネットワーク・サービス・スクリーンとを起動する。（６）アプリケーション割り当てボタン、例えばナビゲーション・ボタンは追跡調査と、ナビゲーションと、道発見サービス・スクリーンを提供する。（７）アプリケーション割り当てボタン、例えばＩＤアクセスまたは支払いボタンは、第三者システムに対し、安全なモバイル機器とエンドユーザーの認証を可能にする。（８）アプリケーション割り当てボタン、例えばホーム・ボタンは、他のサービスとアプリケーションを起動する。
【０１６６】
ここで図３６を参照すると、複合型モバイル・アプリケーションが図示されている。（１）複合型モバイル・アプリは、デバイス・アプリのユーザーにより、手動でボタンを押下される、または、待ちゼロ・サービスに関連した位置またはアクティビティ・イベントによって自動的に起動される、という２つの方法で起動される。（２）複合型モバイル・アプリに統合され、ローカル・ネットワークまたはインターネットを介して動くモバイル機器上のサービス及びモバイル機器上ではないサービスの両方を管理するユーザー割り当てボタンを含む。（３） アプリ内ブラウザー、ＨＴＭＬ５キャンバス要素、またはアイ・フレーム（ｉＦｒａｍｅ）要素のような、複合型モバイル・アプリ内で動いているウィンドウ（Ｗｉｎｄｏｗ）は、第三者アプリケーションが、複合型モバイル・アプリ内で動くことを可能にする。第三者アプリは、複合型モバイル・アプリにより提供されるＡＰＩを介してモバイル機器センサーへのインターフェースとなり、または、複合型モバイル・アプリにより提供されるネットワークＡＰＩを介してローカルまたはクラウド・サービスへのインターフェースとなる。
【０１６７】
ここで図３７を参照すると、５つの動作モードの待ちゼロ・サービス・モバイル・ウィジェット・アプリケーションが示されている。
【０１６８】
モード１：制御マネージャー
【０１６９】
ステータス：非アクティブ
【０１７０】
サービス：手入力：アプリへのボタン・アクセス、イベント：位置と、アクティビティと、アプリに対するコンテンツ起動と、通知
【０１７１】
モード２：待ち行列作成マネージャー
【０１７２】
ステータス：アクティブ
【０１７３】
サービス：待ち行列作成、ＥＴＡブロードキャスト、取引、通知
【０１７４】
モード３：接続マネージャー
【０１７５】
ステータス：アクティブ
【０１７６】
サービス：チェック・イン、取引、待ち行列作成、支払い、通史、ステータス更新
【０１７７】
モード４：コラボレーション・マネージャー
【０１７８】
ステータス：アクティブ
【０１７９】
サービス：フォロー・ミー通知、ＩＭ、グループ・チャット、プライベート・チャット
【０１８０】
モード５：デジタル・キャッシュ・マネージャー
【０１８１】
ステータス：アクティブ
【０１８２】
サービス：お金の積み立て、残高確認、支払い、現金引出、資金移動、履歴
【０１８３】
ここで図３８を参照すると、仮想待ち行列作成マネージャー（待ち行列作成、ＥＴＡと通知ステータス管理）が示されている。
【０１８４】
ここで図３９を参照すると、ＴｒａＱｉｎ接続マネージャー（会場／サービス接続、チェック・イン、ゾーン・トラッキング・ステータス管理）が示されている。
【０１８５】
ここで図４０を参照すると、３つの機能モードの待ち行列作成及び接続ウィジェット・ビューが示されている。
【０１８６】
モード１：ウィジェット（非アクティブ）−待ちゼロ・サービスにアクセスするための押しボタン
【０１８７】
モード２：待ち行列作成（アクティブ）−資産またはサービスが要求するルーティングと、到着予測時刻（ＥＴＡ）と、通知サービスとを備える、開始された待ち行列作成セッション
【０１８８】
モード３：会場接続（アクティブ）−資産上にいる間の、資産のマスター・センサー・ノードまたは複数のセンサーの１以上との確立されたネットワーク接続
【０１８９】
ここで図４１を参照すると、待ちゼロ位置認識イベント起動動作シナリオが示されている。
【０１９０】
上記の説明は例であって、限定的ではない。発明の多くのバリエーションが、この開示を見ると同時に、当業者にとって明らかになるだろう。本発明が、様々な実施例に関連して記述されたが、これらの説明は、発明の範囲をここで述べられた特定の形式に限定することを目的としていない。それとは反対に、本説明は、添付の請求項によって定義されて、さもなければ当業者によって理解される、発明の意図と範囲に含まれる、代案と修正と等価物をカバーすることを目的としている。
【０１９１】
本発明は、ここで、下記にリストされた項に関して議論されます。たとえ特にリストにされていないとしても、本発明が以下の項のどのような組合せを含んでも良いという点に留意する必要がある。
【０１９２】
１．システムであって、
モバイル機器にインストールされたローカル小売サービス契約アプリケーションを含み、前記モバイル機器はセルラー・ネットワーク・チャンネルに接続されており、前記ローカル小売サービス契約アプリケーションは、
少なくとも１つのサービス提供者システムに、無線周波数ネットワーク・チャンネルを介して、サービスの検索リクエストを送信し、
前記検索リクエストに応じた前記少なくとも１つのサービス提供者システムから、サービス提供者に関するデータを受信し、
前記サービス提供者に予約のリクエストを送信し、
前記サービス提供者システムから、前記予約の確認を受信し、
待ち行列作成システムに、前記無線周波数ネットワーク・チャンネルを介して、待ち行列作成のリクエストを送信し、
前記待ち行列作成システムから、前記待ち行列作成のリクエストの確認を受信し、
前記モバイル機器の物理的位置を特定し、
前記モバイル機器と、前記サービス提供者に関する物理的会場との間の距離を計算し、
前記モバイル機器が前記物理的会場に移動中に、１以上の予め定義された間隔で、到着予測時刻を送信する
ように構成され、
前記待ち行列作成システムは、更に、前記モバイル機器が前記物理的会場に到着した際には、
前記モバイル機器上のローカル無線周波数ネットワーク・チャンネルのアクティベーションを起動するように、前記ローカル小売サービス契約アプリケーションにリクエストを送信し、
前記ローカル無線周波数ネットワーク・チャンネルで前記モバイル機器を検索するために、リクエストを送信する
ように構成され、
システムは、識別及び位置特定及び認証システムを含み、前記識別及び位置特定及び認証システムは、
ブロードバンド・ネットワーク・チャンネルに接続されたマスター・センサー・ノードを含み、前記サービス提供者は、前記ブロードバンド・ネットワーク・チャンネルに同時に接続され、
前記識別及び位置特定及び認証システムは、前記物理的会場の複数のセンサーを含み、前記複数のセンサーは、無線ネットワーク・チャンネルを介して、前記マスター・センサー・ノードと通信し、前記複数のセンサーと前記マスター・センサー・ノードとは、前記モバイル機器が前記物理的会場に存在する場合に、前記ローカル無線周波数ネットワーク・チャンネルを介して、前記モバイル機器に通信的に接続され、
前記マスター・センサー・ノードは、前記モバイル機器の識別をし、前記複数のセンサーのうち少なくとも１つ又は前記マスター・センサー・ノードから所定範囲内にある前記モバイル機器の相対位置を特定し、
前記マスター・センサー・ノードは、前記モバイル機器または前記マスター・センサー・ノードまたは複数のセンサーの絶対位置を認証し、前記少なくとも１つのサービス提供者システムに対して、前記モバイル機器の相対位置を認証し、
前記少なくとも1つのサービス提供者システムは、認証と前記モバイル機器の前記相対位置とを受信し、前記予約を回収する
システム。
【０１９３】
２．前記検索リクエストは、少なくともサービスのカテゴリーを含む項１に記載のシステム。
【０１９４】
３．前記サービスのカテゴリーは、サービスの種類またはアクティビティの種類または会場の種類の１つを含む項２に記載のシステム。
【０１９５】
４．前記検索リクエストは、少なくともサービスの位置を含む項１に記載のシステム。
【０１９６】
５．前記サービスの位置は都市を含む項４に記載のシステム。
【０１９７】
６．前記到着予測時刻は、少なくとも、前記計算した距離と、前記モバイル機器の移動速度とに基づく項１記載のシステム。
【０１９８】
７．前記ローカル小売サービス契約アプリケーションは、更に、通知ウィジェットを含む項１記載のシステム。
【０１９９】
８．方法であって、
モバイル機器にインストールされたローカル小売サービス契約アプリケーションを備えることを含み、前記モバイル機器は、セルラー・ネットワーク・チャンネルに接続しており、前記ローカル小売サービス契約アプリケーションは、
少なくとも1つのサービス提供者システムに、無線周波数ネットワーク・チャンネルを介して、サービスの検索リクエストを送信し、
前記検索要求に応じた前記少なくとも1つのサービス提供者システムから、サービス提供者に関するデータを受信し、
前記サービス提供者に、予約のリクエストを送信し、
前記サービス提供者システムから予約の確認を受信し、
待ち行列作成システムに、前記無線周波数ネットワーク・チャンネルを介して、待ち行列作成のリクエストを送信し、
前記待ち行列作成システムから待ち行列作成のリクエストの確認を受信し、
前記モバイル機器の物理的位置を特定し、
前記モバイル機器と、前記サービス提供者に関する物理的会場との間の距離を計算し、
前記モバイル機器が前記物理的会場に移動中に、１以上の予め定義された間隔で、到着予測時刻を送信し、
前記待ち行列作成システムは、更に、前記モバイル機器が前記物理的会場に到着した際には、
前記モバイル機器上のローカル無線周波数ネットワーク・チャンネルのアクティベーションを起動するように、前記ローカル小売サービス契約アプリケーションにリクエストを送信し、
前記ローカル無線周波数ネットワーク・チャンネルで前記モバイル機器を検索するために、リクエストを送信するように構成されており、
方法は、物理的会場内の１以上のマスター・センサー・ノードを備えることを含み、前記１以上のマスター・センサー・ノードは、ブロードバンド・ネットワーク・チャンネルに接続されており、
方法は、前記物理的会場内の複数のセンサーを備えることを含み、前記複数のセンサーは、無線ネットワーク・チャンネルを介して、前記１以上のマスター・センサー・ノードと通信し、前記複数のセンサーと前記１以上のマスター・センサー・ノードとは、無線周波数ネットワーク・チャンネルを介して、モバイル機器に通信的に接続され、前記複数のセンサーと前記マスター・センサー・ノードとは、前記モバイル機器が前記物理的会場に存在する場合に、前記ローカル無線周波数ネットワーク・チャンネルを介して、前記モバイル機器に通信的に接続されており、
方法は、前記１以上のマスター・センサー・ノードにより、前記モバイル機器の識別をし、前記モバイル機器に関する位置を特定することを含み、前記モバイル機器は、前記１以上のマスター・センサー・ノードから、予め定義された距離の範囲内にあり、
方法は、前記１以上のマスター・センサー・ノードにより、前記モバイル機器または前記マスター・センサー・ノードまたは複数のセンサーの絶対位置を認証することと、
前記１以上のマスター・センサー・ノードにより、少なくとも１つのサービス提供者システムに対して、前記モバイル機器の相対位置を認証することと、
前記１以上のマスター・センサー・ノードにより、認証と前記モバイル機器の前記相対位置とを受信することと、
前記１以上のマスター・センサー・ノードにより、前記予約を回収することと、
を含む方法。
【０２００】
９．前記検索リクエストは、少なくともサービスのカテゴリーを含む項８に記載の方法。
【０２０１】
１０．前記サービスのカテゴリーは、サービスの種類またはアクティビティの種類または会場の種類の１つを含む項９に記載の方法。
【０２０２】
１１．前記検索リクエストは、少なくともサービスの位置を含む項８に記載の方法。
【０２０３】
１２．前記サービスの位置は都市を含む項１１に記載の方法。
【０２０４】
１３．前記到着予測時刻は、少なくとも、前記計算した距離と、前記モバイル機器の移動速度とに基づく項８記載の方法。
【０２０５】
１４．前記ローカル小売サービス契約アプリケーションは、更に、通知ウィジェットを含む項８記載の方法。
【０２０６】
１５．方法であって、
サービス管理システムによって、モバイル機器がマスター・センサー・ノードから所定範囲内にあることを特定することと、
前記サービス管理システムによって、サービス・プロファイルを取得するためにマスター・センサー・ノード管理サーバーにリクエストを送信することと、
前記サービス管理システムによって、前記マスター・センサー・ノード上に前記前記サービス・プロファイルをロードすることと、
前記サービス管理システムによって、前記モバイル機器を前記マスター・センサー・ノードと自動的にペアリングすることと、
前記サービス管理システムによって、前記モバイル機器上に動的複合型アプリケーションをロードすることと、
認証プロファイルによって、サービス提供者に対して前記モバイル機器を認証することと、
前記サービス管理システムによって、前記サービス提供者に対して前記モバイル機器をチェック・インすることと、
前記サービス管理システムによって、前記サービス提供者における前記モバイル機器に関する予約を回収することと、
前記動的複合型アプリケーションによって、前記予約を前記モバイル機器に表示することと、
を含む方法。
【０２０７】
１６．更に、前記動的複合型アプリケーションの通知ウィジェットによって、前記予約が利用可能になったという通知を前記モバイル機器に送信することを含む項１５に記載の方法。
【０２０８】
１７．更に、前記通知ウィジェットによって、前記モバイル機器にナビゲーション地図を表示することを含む項１６に記載の方法。
【０２０９】
１８．更に、前記通知ウィジェットによって、前記モバイル機器に支払い請求書を受信して提示することを含む項１６に記載の方法。
【０２１０】
１９．更に、前記モバイル機器が前記マスター・センサー・ノードから所定範囲外になった場合、前記ネットワークから前記モバイル機器を自動的に切断することを含む項１６に記載の方法。
【０２１１】
２０．前記動的複合型アプリケーションは、ＨＴＭＬ５コードを含む項１５に記載の方法。
【０２１２】
２１．広告システムであって、
物理的会場に関する少なくとも1つの識別及び位置特定及び認証システムを含み、前記少なくとも1つの識別及び位置特定及び認証システムの各々は、
ブロードバンド・ネットワーク・チャンネルに接続しているマスター・センサー・ノードと、
物理的会場内の複数のセンサーとを含み、前記複数のセンサーは、前記ブロードバンド・ネットワーク・チャンネルを介して前記マスター・センサー・ノードと通信し、
広告システムは、前記物理的会場に配備されている少なくとも１つの識別及び位置特定及び認証システムによって提供され、当該識別及び位置特定及び認証システムに関連するクラウド・ベースの広告サービスを含み、前記クラウド・ベースの広告サービスは、前記マスター・センサー・ノードに通信的に接続され、前記物理的会場に関する複数の広告データを格納し、
広告システムは、セルラー・ネットワーク・チャンネルに接続したモバイル機器にインストールされている広告アプリケーションを含み、前記広告アプリケーションは、
前記クラウド・ベースの広告サービスに、ローカルサービスの検索リクエストを送信し、
少なくとも1つの物理的会場に関連し、前記マスター・センサー・ノードから前記クラウド・ベースの広告サービスに送信された広告データを受信して表示するように構成され、前記広告データは、少なくとも、
モバイル機器の位置と、
物理的会場の位置と、
少なくとも1つの検索キーワードと、
に基づいて、前記モバイル機器への提示のために選択される
広告システム。
【０２１３】
２２．前記広告データは、地図ビューで表示される項２１に記載のシステム。
【０２１４】
２３．前記広告データは、リスト・ビューで表示される項２１に記載のシステム。
【０２１５】
２４．前記広告データは、拡張現実ビューで表示される項２１に記載のシステム。
【０２１６】
２５．前記拡張現実ビューは、前記モバイル機器が垂直に傾けられたときに起動される項２４に記載のシステム。
【０２１７】
２６．前記広告データは、クーポンを含む項２１に記載のシステム。
【０２１８】
２７．前記広告データは、前記モバイル機器の前記位置から所定距離範囲内の１以上の会場を含む項２１に記載のシステム。
【０２１９】
２８．方法であって、
物理的会場に関する少なくとも1つの識別及び位置特定及び認証システムを備えることと、前記少なくとも１つの識別及び位置特定及び認証システムの各々は、
ブロードバンド・ネットワーク・チャンネルに接続しているマスター・センサー・ノードと、  物理的会場内の複数のセンサーとを含み、前記複数のセンサーは、前記ブロードバンド・ネットワーク・チャンネルを介して前記マスター・センサー・ノードと通信し、
方法は、前記物理的会場に配備されている少なくとも１つの識別及び位置特定及び認証システムによって提供され、当該識別及び位置特定及び認証システムに関連したクラウド・ベースの広告サービスを備えることを含み、前記クラウド・ベースの広告サービスは、前記物理的会場に関する複数の広告データを格納し、
方法は、セルラー・ネットワーク・チャンネルに接続しているモバイル機器にインストールされた広告アプリケーションを備えることと、
前記広告アプリケーションによって、ローカルサービスの検索リクエストを送信することと、
前記広告アプリケーションによって、前記検索リクエストに応じた前記クラウド・ベースの広告サービスから、少なくとも1つの物理的会場に関連した広告データを受信して表示することとを含み、前記広告データは、少なくとも、
モバイル機器の位置と、
物理的会場の位置と、
少なくとも1つの検索キーワードと、
に基づいて、前記モバイル機器への提示のために選択される
方法。
【０２２０】
２９．前記広告データは、地図ビューで表示される項２８に記載の方法。
【０２２１】
３０．前記広告データは、リスト・ビューで表示される項２８に記載の方法。
【０２２２】
３１．前記広告データは、拡張現実ビューで表示される項２８に記載の方法。
【０２２３】
３２．前記拡張現実ビューは、前記モバイル機器が垂直に傾けられたときに起動される項３１に記載の方法。
【０２２４】
３３．前記広告データは、クーポンを含む項２８に記載の方法。
【０２２５】
３４．前記広告データは、前記モバイル機器の前記位置から所定距離範囲内の１以上の会場を含む項２８に記載の方法。
【０２２６】
３５．広告システムであって、
物理的会場に関する少なくとも1つの識別及び位置特定及び認証システムを含み、前記少なくとも１つの識別及び位置特定及び認証システムの各々は、
ブロードバンド・ネットワーク・チャンネルに接続しているマスター・センサー・ノードと、
物理的会場内の複数のセンサーとを含み、前記複数のセンサーは、前記ブロードバンド・ネットワーク・チャンネルを介して前記マスター・センサー・ノードと通信し、
広告システムは、少なくとも１つの前記マスター・ノードまたは前記複数のセンサーのうち少なくとも１つによって提供され、少なくとも１つの前記マスター・センサー・ノードまたは前記複数のセンサーのうち少なくとも１つと通信的に接続されているクラウド・ベースの広告サービスを含み、前記クラウド・ベースの広告サービスは、前記物理的会場に関する複数の広告データを格納し、
広告システムは、セルラー・ネットワーク・チャンネルに接続しているモバイル機器にインストールされた広告アプリケーションを含み、前記広告アプリケーションは、
前記クラウド・ベースの広告サービスにローカルサービスの検索リクエストを送信し、
前記検索リクエストに応じた前記クラウド・ベースの広告サービスから、少なくとも1つの物理的会場に関連した広告データを受信して表示するように構成され、前記広告データは、前記モバイル機器へ提示のために選択される
広告システム。
【０２２７】
３６．前記広告データは、少なくとも、
モバイル機器の位置と、
物理的会場の位置と、
少なくとも1つの検索キーワードと、
に基づいて、前記モバイル機器への提示のために選択される項３５に記載のシステム。
【０２２８】
３７．前記広告データは、地図ビューで表示される項３５に記載のシステム。
【０２２９】
３８．前記広告データは、リスト・ビューで表示される項３５に記載のシステム。
【０２３０】
３９．前記広告データは、拡張現実ビューで表示される項３５に記載のシステム。
【０２３１】
４０．前記広告データは、前記モバイル機器の前記位置から所定距離範囲内の１以上の会場を含む項３６に記載のシステム。
【０２３２】
４１．更に、前記セルラー・ネットワークを介して遠隔的に検索可能であり、前記モバイル機器上で見ることができ、前記モバイル機器を介して直接契約可能にするデジタル・サインに、前記マスター・センサー・ノードまたは前記複数のセンサーの各々を割り当てることを含む項２８に記載の方法。
【０２３３】
４２．遠隔広告システムであって、
物理的会場に関する少なくとも1つの識別及び位置特定及び認証システムを含み、前記少なくとも1つの識別及び位置特定及び認証システムの各々は、
ブロードバンド・ネットワーク・チャンネルに接続しているマスター・センサー・ノードと、
物理的会場内の複数のセンサーとを含み、前記複数のセンサーは、無線ネットワーク・チャンネルを介して前記マスター・センサー・ノードと通信し、
遠隔広告システムは、前記物理的会場内に配備される前記少なくとも1つの識別及び位置特定及び認証システムによって提供されるクラウド・ベースの広告サービスと、
セルラー・ネットワーク・チャンネルに接続しているモバイル機器にインストールされたアプリケーションとを含み、前記アプリケーションは、
前記モバイル機器に関する位置に対応する第１の座標セットを特定し、
サービスの、選択カテゴリーを含む第１の検索リクエストを送信し、前記第１の検索リクエストに応じた前記クラウド・ベースの広告サービスから、前記選択カテゴリーにマッチする、物理的会場または関連するサービスのリストを受信して表示するように構成され、前記リストは、前記マスター・センサー・ノードに関連する前記物理的会場を含み、前記物理的会場は、テレポーテーション表示器を含み、前記アプリケーションは、
テレポーテーション表示器が選択されたという指示を受け、
前記物理的会場に関する位置に対応する第２の座標セットを特定し、
前記第１の座標セットを前記第２の座標セットに置換し、
サービスの、前記選択カテゴリーを含む第２の検索リクエストを送信し、
少なくとも前記第２の座標セットに基づいて、前記選択カテゴリーにマッチする物理的会場の第２のリストを受信して表示するように構成されている
遠隔広告システム。
【０２３４】
４３．前記マスター・センサー・ノードは、更にカメラを含む項４２に記載のシステム。
【０２３５】
４４．前記カメラは、ライブ・ビデオ供給物を送信する項４３記載のシステム。
【０２３６】
４５．前記カメラは、１以上のパノラマ画像を格納する項４３記載のシステム。
【０２３７】
４６．前記アプリケーションは、リスト・ビュー及び地図ビュー及び拡張現実ビューを含む項４２に記載のシステム。
【０２３８】
４７．前記拡張現実ビューは、前記モバイル機器が垂直に傾けられたときに起動される項４６に記載のシステム。
【０２３９】
４８．前記選択カテゴリーは、サービスのカテゴリーを含む項４２に記載のシステム。
【０２４０】
４９．方法であって、
物理的会場に関する少なくとも1つの識別及び位置特定及び認証システムを備えることを含み、前記少なくとも１つの識別及び位置特定及び認証システムの各々は、
ブロードバンド・ネットワーク・チャンネルに接続しているマスター・センサー・ノードと、
物理的会場内の複数のセンサーとを含み、前記複数のセンサーは、前記ブロードバンド・ネットワーク・チャンネルを介して前記マスター・センサー・ノードと通信し、
方法は、前記物理的会場内に配備される前記少なくとも1つの識別及び位置特定及び認証システムによって提供され、当該識別及び位置特定及び認証システムに関連するクラウド・ベースの広告サービスを備えることと、
セルラー・ネットワーク・チャンネルに接続しているモバイル機器にインストールされたアプリケーションを備えることと、
前記アプリケーションによって、前記モバイル機器に関する位置に対応する第１の座標セットを特定することと、
前記アプリケーションによって、サービスの、選択カテゴリーを含む第１の検索リクエストを送信することと、前記第１の検索リクエストに応じた前記クラウド・ベースの広告サービスから、前記選択カテゴリーにマッチする、物理的会場または関連するサービスのリストを受信して表示することとを含み、前記リストは、前記マスター・センサー・ノードに関連した前記物理的会場を含み、前記物理的会場は、テレポーテーション表示器を含み、
方法は、前記アプリケーションによって、前記テレポーテーション表示器が選択されたという指示を受けることと、
前記アプリケーションによって、前記物理的会場に関する位置に対応する第２の座標セットを特定することと、
前記アプリケーションによって、前記第１の座標セットを前記第２の座標セットに置換することと、
前記アプリケーションによって、サービスの、前記選択カテゴリーを含む第２の検索リクエストを送信することと、
前記アプリケーションによって、少なくとも前記第２の座標セットに基づいて、前記選択カテゴリーにマッチする物理的会場の第２のリストを受信して表示することを含む
方法。
【０２４１】
５０．前記マスター・センサー・ノードは、更にカメラを含む項４９に記載の方法。
【０２４２】
５１．前記カメラは、ライブ・ビデオ供給物を送信する項５０に記載の方法。
【０２４３】
５２．前記カメラは、１以上のパノラマ画像を格納する項５０に記載の方法。
【０２４４】
５３．前記アプリケーションは、リスト・ビュー及び地図ビュー及び拡張現実ビューを含む項４９に記載の方法。
【０２４５】
５４．前記拡張現実ビューは、前記モバイル機器が垂直に傾けられたときに起動される項５３に記載の方法。
【０２４６】
５５．前記選択カテゴリーは、サービスのカテゴリーを含む項４９に記載の方法。
【０２４７】
５６．遠隔広告システムであって、
物理的会場に関する少なくとも1つの識別及び位置特定及び認証システムを含み、前記少なくとも1つの識別及び位置特定及び認証システムの各々は、
ブロードバンド・ネットワーク・チャンネルに接続しているマスター・センサー・ノードと、
物理的会場内の複数のセンサーとを含み、前記複数のセンサーは、無線ネットワーク・チャンネルを介して前記マスター・センサー・ノードと通信し、
遠隔広告システムは、前記物理的会場内に配備される前記少なくとも1つの識別及び位置特定及び認証システムによって提供される、クラウド・ベースの広告サービスと、
セルラー・ネットワーク・チャンネルに接続しているモバイル機器にインストールされたアプリケーションとを含み、前記アプリケーションは、
前記モバイル機器に関する位置に対応する第１の座標セットを特定し、
サービスの、選択カテゴリーを含む第１の検索リクエストを送信し、前記第１の検索リクエストに応じた前記クラウド・ベースの広告サービスから、前記選択カテゴリーにマッチする、物理的会場または関連するサービスのリストを受信して表示するように構成され、前記リストは、前記マスター・センサー・ノードに関連する前記物理的会場を含み、前記物理的会場は、テレポーテーション表示器を含み、前記アプリケーションは、
前記物理的会場に対する予約をするように構成され、
前記少なくとも1つの識別及び位置特定及び認証システムは、更に、
予約がなされたという指標を受信し、
前記モバイル機器を識別し、認証するように構成され、
前記アプリケーションは、更に、
テレポーテーション表示器が選択されたという指標を受信し、
前記物理的会場に関する位置に対応する第２の座標セットを特定し、
前記第１の座標セットを前記第２の座標セットに置換し、
サービスの、前記選択カテゴリーを含む第２の検索リクエストを送信し、
少なくとも前記第２の座標セットに基づいて、前記選択カテゴリーにマッチする物理的会場の第２のリストを受信して表示するように構成されている
遠隔広告システム。
【０２４８】
５７．前記マスター・センサー・ノードは、更にカメラを含む項５６に記載のシステム。
【０２４９】
５８．前記カメラは、ライブ・ビデオ供給物を送信する項５７に記載のシステム。
【０２５０】
５９．前記カメラは、１以上のパノラマ画像を格納する項５７に記載のシステム。
【０２５１】
６０．前記アプリケーションは、リスト・ビュー及び地図ビュー及び拡張現実ビューを含む項５６に記載のシステム。
【０２５２】
６１．前記拡張現実ビューは、前記モバイル機器が垂直に傾けられたときに起動される項６０に記載のシステム。
【０２５３】
（付記）
（付記１）
システムであって、
物理的会場内に配置され、ブロードバンド・ネットワーク・チャンネルに接続された１以上のマスター・センサー・ノードと、
前記物理的会場内の複数のセンサーと、
を含み、
前記複数のセンサーは、無線ネットワーク・チャンネルを介して、前記１以上のマスター・センサー・ノードと通信し、
前記複数のセンサーと前記１以上のマスター・センサー・ノードとは、無線周波数ネットワーク・チャンネルを介して、モバイル機器に通信的に接続され、
前記１以上のマスター・センサー・ノードは、
前記１以上のマスター・センサー・ノードから予め定義された距離の範囲内にある前記モバイル機器を識別し、前記モバイル機器に関する位置を特定し、
前記無線周波数ネットワーク・チャンネルに接続している第三者に対して、前記モバイル機器のＩＤと前記位置とを認証するように、前記モバイル機器からリクエストを受信し、
前記第三者に対して、前記モバイル機器を認証する
ように構成されており、
前記第三者は、前記モバイル機器の認証を受信して、前記モバイル機器に、前記第三者に関するネットワーク接続へのアクセスを提供する
システム。
【０２５４】
（付記２）
前記モバイル機器は、登録認定機関に登録されている付記１に記載のシステム。
【０２５５】
（付記３）
前記位置は、緯度及び経度座標を含む付記１に記載のシステム。
【０２５６】
（付記４）
前記第三者は、オンラインゲーム提供者である付記１に記載のシステム。
【０２５７】
（付記５）
前記第三者は、電子取引提供者である付記１に記載のシステム。
【０２５８】
（付記６）
前記１以上のマスター・センサー・ノードは較正されている付記１に記載のシステム。
【０２５９】
（付記７）
前記較正は、少なくとも、前記１以上のマスター・センサー・ノードの位置に基づく付記６に記載のシステム。
【０２６０】
（付記８）
方法であって、
物理的会場内に、ブロードバンド・ネットワーク・チャンネルに接続された１以上のマスター・センサー・ノードを備えることと、
前記物理的会場内に、複数のセンサーを備えることと、
を含み、
前記複数のセンサーは、無線ネットワーク・チャンネルを介して、前記１以上のマスター・センサー・ノードと通信し、
前記複数のセンサーと前記１以上のマスター・センサー・ノードとは、無線周波数ネットワーク・チャンネルを介して、モバイル機器に通信的に接続され、
方法は、
前記１以上のマスター・センサー・ノードによって、前記１以上のマスター・センサー・ノードから予め定義された距離の範囲内にある前記モバイル機器を識別し、前記モバイル機器に関する位置を特定することと、
前記１以上のマスター・センサー・ノードによって、前記無線周波数ネットワーク・チャンネルに接続している第三者に対して、前記モバイル機器のＩＤと前記位置とを認証するように、前記モバイル機器からリクエストを受信することと、
前記１以上のマスター・センサー・ノードによって、前記第三者に対して、前記モバイル機器を認証することと、
を含み、
前記第三者は、前記モバイル機器の認証を受信して、前記モバイル機器に、前記第三者に関するネットワーク接続へのアクセスを提供する
方法。
【０２６１】
（付記９）
前記モバイル機器は、登録認定機関に登録されている付記８に記載の方法。
【０２６２】
（付記１０）
前記位置は、緯度及び経度座標を含む付記８に記載の方法。
【０２６３】
（付記１１）
前記第三者は、オンラインゲーム提供者である付記８に記載の方法。
【０２６４】
（付記１２）
前記第三者は、電子取引提供者である付記８に記載の方法。
【０２６５】
（付記１３）
前記１以上のマスター・センサー・ノードは較正されている付記８に記載の方法。
【０２６６】
（付記１４）
前記較正は、少なくとも、前記１以上のマスター・センサー・ノードの位置に基づく付記１３に記載の方法。
【０２６７】
（付記１５）
システムであって、
物理的会場内に配置され、ブロードバンド・ネットワーク・チャンネルに接続された、１以上の較正されたマスター・センサー・ノードと、
前記物理的会場内の複数のセンサーと、
を含み、
前記複数のセンサーは、無線ネットワーク・チャンネルを介して、前記１以上のマスター・センサー・ノードと通信し、
前記複数のセンサーと前記１以上のマスター・センサー・ノードとは、無線周波数ネットワーク・チャンネルを介して、モバイル機器に通信的に接続され、
前記モバイル機器は、登録認定機関に登録されており、
前記１以上のマスター・センサー・ノードは、
前記１以上のマスター・センサー・ノードから予め定義された距離の範囲内にある前記モバイル機器を識別し、前記モバイル機器に関する位置を特定し、
第三者に対して、前記モバイル機器のＩＤと前記位置とを認証するように、前記モバイル機器からリクエストを受信する
ように構成されており、
前記位置は緯度及び経度座標を含み、
前記第三者は前記無線周波数ネットワーク・チャンネルに接続しており、
前記１以上のマスター・センサー・ノードは、前記第三者に対して、前記モバイル機器を認証するように構成されており、
前記第三者は、前記モバイル機器の認証を受信して、前記モバイル機器に、前記第三者に関するネットワーク接続へのアクセスを提供する
システム。
【０２６８】
（付記１６）
前記第三者は、オンラインゲーム提供者である付記１５に記載のシステム。
【０２６９】
（付記１７）
前記第三者は、電子取引提供者である付記１５に記載のシステム。
【０２７０】
（付記１８）
前記１以上のマスター・センサー・ノードの前記較正は、少なくとも、前記１以上のマスター・センサー・ノードの位置に基づく付記１５に記載のシステム。
【０２７１】
（付記１９）
１以上のマスター・ノードは、ＩＯＴ無線周波数アクチュエーター・ノードである付記１５に記載のシステム。
【０２７２】
（付記２０）
前記１以上のマスター・センサー・ノードは、更に、第三者に対して前記モバイル機器を認証する前に、前記モバイル機器から、少なくとも１つの追加要素を要求するように構成されている付記１５に記載のシステム。
【図１】
2019179568.tif 000003
【図２】
2019179568.tif 000004
【図３】
2019179568.tif 000005
【図４】
2019179568.tif 000006
【図５】
2019179568.tif 000007
【図６】
2019179568.tif 000008
【図７】
2019179568.tif 000009
【図８】
2019179568.tif 000010
【図９】
2019179568.tif 000011
【図１０】
2019179568.tif 000012
【図１１】
2019179568.tif 000013
【図１２】
2019179568.tif 000014
【図１３】
2019179568.tif 000015
【図１４】
2019179568.tif 000016
【図１５】
2019179568.tif 000017
【図１６】
2019179568.tif 000018
【図１７】
2019179568.tif 000019
【図１８】
2019179568.tif 000020
【図１９】
2019179568.tif 000021
【図２０】
2019179568.tif 000022
【図２１】
2019179568.tif 000023
【図２２】
2019179568.tif 000024
【図２３】
2019179568.tif 000025
【図２４】
2019179568.tif 000026
【図２５】
2019179568.tif 000027
【図２６】
2019179568.tif 000028
【図２７】
2019179568.tif 000029
【図２８】
2019179568.tif 000030
【図２９】
2019179568.tif 000031
【図３０】
2019179568.tif 000032
【図３１】
2019179568.tif 000033
【図３２】
2019179568.tif 000034
【図３３】
2019179568.tif 000035
【図３４】
2019179568.tif 000036
【図３５】
2019179568.tif 000037
【図３６】
2019179568.tif 000038
【図３７】
2019179568.tif 000039
【図３８】
2019179568.tif 000040
【図３９】
2019179568.tif 000041
【図４０】
2019179568.tif 000042
【図４１】
2019179568.tif 000043